(57)【要約】【課題】リソース割当て情報を報告するためのオーバーヘッドの増大を抑制しながら、柔軟な周波数スケジューリングを達成する。【解決手段】受信装置は、レガシープリアンブル、非レガシープリアンブル、及び、データフィールド、を含む信号を受信する受信部と、信号に基づいて、データを復号する回路と、を備える。非レガシープリアンブルは、信号フィールドを含み、信号フィールドは、周波数領域における複数のリソースユニット（ＲＵ）を示し、周波数領域における複数のＲＵの順序で並んだ複数のユーザ固有サブフィールドを含み、複数のユーザ固有サブフィールドは、第１ユーザ固有サブフィールドと第２ユーザ固有サブフィールドを含み、第２ユーザ固有サブフィールドに対応するＲＵの開始トーンインデックスは、第２ユーザ固有サブフィールドに先行する第１ユーザ固有サブフィールドに対応するＲＵの終了トーンインデックスよりも大きい。【選択図】図９
2020025352.tif 000002
【特許請求の範囲】
【請求項１】
レガシープリアンブル、非レガシープリアンブル、及び、データフィールド、を含む信号を受信する受信部と、
前記信号に基づいて、データを復号する回路と、
を備え、
前記非レガシープリアンブルは、信号フィールドを含み、
前記信号フィールドは、周波数領域における複数のリソースユニット（ＲＵ）を示し、前記周波数領域における前記複数のＲＵの順序で並んだ複数のユーザ固有サブフィールドを含み、
前記複数のユーザ固有サブフィールドは、第１ユーザ固有サブフィールドと第２ユーザ固有サブフィールドを含み、前記第２ユーザ固有サブフィールドに対応するＲＵの開始トーンインデックスは、前記第２ユーザ固有サブフィールドに先行する前記第１ユーザ固有サブフィールドに対応するＲＵの終了トーンインデックスよりも大きい、
受信装置。
【請求項２】
前記信号フィールドは、リソースアサインメントフィールドを含む共通フィールドと、前記複数のユーザ固有サブフィールドを含むユーザ固有フィールドを含む、
請求項１に記載の受信装置。
【請求項３】
前記第１ユーザ固有サブフィールドに対応するＲＵは、決定した開始位置を持ち、
前記第２ユーザ固有サブフィールドに対応するＲＵは、前記第１ユーザ固有サブフィールドに対応するＲＵの終了トーンインデックスの隣に開始トーンインデックスを持つ、
請求項１に記載の受信装置。
【請求項４】
前記複数のＲＵのうち少なくともひとつのＲＵが使用されないときは、前記少なくともひとつのＲＵは、ダミーアサインメントが挿入されることで示される、
請求項１に記載の受信装置。
【請求項５】
前記信号フィールドは、第１サブバンドチャネル用の第１チャネルフィールドを含み、
前記信号が１以上のサブバンドチャネルを占めるとき、前記信号フィールドは、前記第１サブバンドチャネルとは異なる第２サブバンドチャネル用の第２チャネルフィールドを更に含む、
請求項１に記載の受信装置。
【請求項６】
前記第１チャネルフィールド及び前記第２チャネルフィールドの各々は、リソースアサインメントサブフィールドを含む共通フィールド、及び、前記複数のユーザ固有サブフィールドを含むユーザ固有フィールドを含む、
請求項５に記載の受信装置。
【請求項７】
チャネル帯域幅が８０ＭＨｚである場合に、前記第１チャネルフィールド及び前記第２チャネルフィールドの各々における前記共通フィールドは、前記周波数領域において中央に位置する中央ＲＵが割り当てられているか否かを示す中央ＲＵサブフィールドを含む、
請求項６に記載の受信装置。
【請求項８】
前記チャネル帯域幅が８０ＭＨｚである場合において前記中央ＲＵが割り当てられるとき、前記中央ＲＵ用のユーザ固有サブフィールドは、前記複数のユーザ固有フィールドのうち最後のユーザ固有サブフィールドである、
請求項７に記載の受信装置。
【請求項９】
前記リソースアサインメントサブフィールドと、ユーザ固有サブフィールドの位置とが、特定のユーザに対してデータを送信するために用いられるＲＵを特定する、
請求項２に記載の受信装置。
【請求項１０】
前記複数のＲＵは、低周波数から高周波数への順序で並んでいる、
請求項１に記載の受信装置。
【請求項１１】
レガシープリアンブル、非レガシープリアンブル、及び、データフィールド、を含む信号を受信する工程と、
前記信号に基づいて、データを復号する工程と、
を含み、
前記非レガシープリアンブルは、信号フィールドを含み、
前記信号フィールドは、周波数領域における複数のリソースユニット（ＲＵ）を示し、前記周波数領域における前記複数のＲＵの順序で並んだ複数のユーザ固有サブフィールドを含み、
前記複数のユーザ固有サブフィールドは、第１ユーザ固有サブフィールドと第２ユーザ固有サブフィールドを含み、前記第２ユーザ固有サブフィールドに対応するＲＵの開始トーンインデックスは、前記第２ユーザ固有サブフィールドに先行する前記第１ユーザ固有サブフィールドに対応するＲＵの終了トーンインデックスよりも大きい、
受信方法。
【請求項１２】
前記信号フィールドは、リソースアサインメントフィールドを含む共通フィールドと、前記複数のユーザ固有サブフィールドを含むユーザ固有フィールドを含む、
請求項１１に記載の受信方法。
【請求項１３】
前記第１ユーザ固有サブフィールドに対応するＲＵは、決定した開始位置を持ち、
前記第２ユーザ固有サブフィールドに対応するＲＵは、前記第１ユーザ固有サブフィールドに対応するＲＵの終了トーンインデックスの隣に開始トーンインデックスを持つ、
請求項１１に記載の受信方法。
【請求項１４】
前記複数のＲＵのうち少なくともひとつのＲＵが使用されないときは、前記少なくともひとつのＲＵは、ダミーアサインメントが挿入されることで示される、
請求項１１に記載の受信方法。
【請求項１５】
前記信号フィールドは、第１サブバンドチャネル用の第１チャネルフィールドを含み、
前記信号が１以上のサブバンドチャネルを占めるとき、前記信号フィールドは、前記第１サブバンドチャネルとは異なる第２サブバンドチャネル用の第２チャネルフィールドを更に含む、
請求項１１に記載の受信方法。
【請求項１６】
前記第１チャネルフィールド及び前記第２チャネルフィールドの各々は、リソースアサインメントサブフィールドを含む共通フィールド、及び、前記複数のユーザ固有サブフィールドを含むユーザ固有フィールドを含む、
請求項１５に記載の受信方法。
【請求項１７】
チャネル帯域幅が８０ＭＨｚである場合に、前記第１チャネルフィールド及び前記第２チャネルフィールドの各々における前記共通フィールドは、前記周波数領域において中央に位置する中央ＲＵが割り当てられているか否かを示す中央ＲＵサブフィールドを含む、
請求項１６に記載の受信方法。
【請求項１８】
前記チャネル帯域幅が８０ＭＨｚである場合において前記中央ＲＵが割り当てられるとき、前記中央ＲＵ用のユーザ固有サブフィールドは、前記複数のユーザ固有フィールドのうち最後のユーザ固有サブフィールドである、
請求項１７に記載の受信方法。
【請求項１９】
前記リソースアサインメントサブフィールドと、ユーザ固有サブフィールドの位置とが、特定のユーザに対してデータを送信するために用いられるＲＵを特定する、
請求項１２に記載の受信方法。
【請求項２０】
前記複数のＲＵは、低周波数から高周波数への順序で並んでいる、
請求項１１に記載の受信方法。
【請求項２１】
レガシープリアンブル、非レガシープリアンブル、及び、データフィールド、を含む信号を受信する処理と、
前記信号に基づいて、データを復号する処理と、
を制御し、
前記非レガシープリアンブルは、信号フィールドを含み、
前記信号フィールドは、周波数領域における複数のリソースユニット（ＲＵ）を示し、前記周波数領域における前記複数のＲＵの順序で並んだ複数のユーザ固有サブフィールドを含み、
前記複数のユーザ固有サブフィールドは、第１ユーザ固有サブフィールドと第２ユーザ固有サブフィールドを含み、前記第２ユーザ固有サブフィールドに対応するＲＵの開始トーンインデックスは、前記第２ユーザ固有サブフィールドに先行する前記第１ユーザ固有サブフィールドに対応するＲＵの終了トーンインデックスよりも大きい、
集積回路。
【発明の詳細な説明】
【技術分野】
【０００１】
本開示は、一般的には無線通信に関し、より詳細には、受信装置、受信方法および集積回路に関する。
【背景技術】
【０００２】
ＩＥＥＥ（Institute of Electrical and Electronics Engineers：米国電気電子技術者協会）の８０２．１１作業部会は、高密度のシナリオにおいてユーザによって達成されるリアルワールドのスループットの極めて大幅な増大を達成する目的で、８０２．１１ａｘ  ＨＥ（High Efficiency：高効率）ＷＬＡＮ（Wireless Local Area Network：ワイヤレスローカルエリアネットワーク）エアインタフェースを開発している。８０２．１１ａｘにおける最も重要な特徴の１つとして、ＯＦＤＭＡ（Orthogonal Frequency Division Multiple Access：直交周波数分割多元接続）マルチユーザ伝送が想定された。
【０００３】
ＯＦＤＭ（Orthogonal Frequency Division Multiplexing：直交周波数分割多重）は、システム帯域幅を複数の直交周波数サブキャリアに分割する多重化技術である。ＯＦＤＭシステムでは、入力されるデータストリームが、より低いデータレートのいくつかのパラレルなサブストリームに分割され（したがってシンボル区間が増大する）、それらのサブストリームがそれぞれの直交サブキャリアで変調されて送信される。シンボル区間の増大によって、チャネル遅延スプレッドに対するＯＦＤＭシステムの堅牢性が向上する。さらに、ＣＰ（Cyclic Prefix：サイクリックプレフィックス）の導入によって、ＣＰ区間がチャネル遅延スプレッドより長い限り、シンボル間干渉を完全に除去することができる。さらには、複数のサブキャリアを小さい複雑さで使用可能にする効率的なＩＦＦＴ（Inverse Fast Fourier Transform：逆高速フーリエ変換）によって、ＯＦＤＭ変調を実現することができる。ＯＦＤＭシステムでは、時間−周波数リソースは、時間領域におけるＯＦＤＭシンボルと、周波数領域におけるサブキャリアによって定義される。ＯＦＤＭＡは、ＯＦＤＭシステムの時間−周波数リソースを通じて、複数のユーザへのデータストリームおよび複数のユーザからのデータストリームの複数の操作を実行する多元接続方式である。
【０００４】
８０２．１１ａｘにおいてＯＦＤＭＡマルチユーザ伝送のための周波数スケジューリングを実行する検討が進められている。周波数スケジューリングによると、無線通信アクセスポイント装置（以下では単純に「アクセスポイント」）は、複数の無線通信端末装置（すなわち端末装置、以下では単純に「端末局」）に、端末局（「ＳＴＡ」とも称する）の周波数帯域の受信品質に基づいて適応的にサブキャリアを割り当てる。これによって、最大のマルチユーザダイバーシチ効果を得て、通信を極めて効率的に実行することが可能になる。
【０００５】
周波数スケジューリングは、一般には、リソースユニット（ＲＵ）に基づいて実行される。ＲＵは、複数の連続するサブキャリアを含む。ＲＵは、アクセスポイント（ＡＰ）が通信する複数のＳＴＡのそれぞれに、ＡＰによって割り当てられる。ＡＰによって実行された周波数スケジューリングのリソース割当て（リソースアサインメント）の結果は、リソース割当て情報（リソースアサインメント情報）としてＳＴＡに報告される。しかしながら８０２．１１ａｘは、ＬＴＥ（Long Term Evolution：ロングタームエボリューション）およびＷｉＭＡＸ（Worldwide Interoperability for Microwave Access：ワールドワイド・インターオペラビリティ・フォー・マイクロウェーブ・アクセス）などのＯＦＤＭＡをベースとする他の移動通信規格とは異なり、パケット指向であり、リソース割当て情報を送信するための制御チャネルをサポートしない。
【先行技術文献】
【非特許文献】
【０００６】
【非特許文献１】IEEE802.11-15/0132r5, Specification Framework for TGax, May 2015
【非特許文献２】IEEE802.11-15/0330r5, OFDMA Numerology and Structure, May 2015
【非特許文献３】IEEE802.11-15/0586r1, Frequency Diversity Options in OFDMA, May 2015
【非特許文献４】IEEE802.11-15/0621r2, Design Principles for HE Preamble, May 2015
【非特許文献５】IEEE802.11-15/0574r0, SIG Structure for UL PPDU, May 2015
【非特許文献６】IEEE Std 802.11ac-2013
【発明の概要】
【発明が解決しようとする課題】
【０００７】
周波数スケジューリングの柔軟性が高まるにつれて、リソース割当て情報をＳＴＡに報告するためにより多くのシグナリングビットが必要である。この結果として、リソース割当て情報を報告するためのオーバーヘッドが増大する。したがって、周波数スケジューリングにおける柔軟性と、リソース割当て情報を報告するオーバーヘッドとの間にはトレードオフの関係が存在する。課題は、リソース割当て情報を報告するためのオーバーヘッドの増大を減らしながら、柔軟な周波数スケジューリングをどのように達成するかである。
【課題を解決するための手段】
【０００８】
一般的な一態様においては、本明細書に開示されている技術は、本開示の受信装置であって、レガシープリアンブル、非レガシープリアンブル、及び、データフィールド、を含む信号を受信する受信部と、前記信号に基づいて、データを復号する回路と、を備え、前記非レガシープリアンブルは、信号フィールドを含み、前記信号フィールドは、周波数領域における複数のリソースユニット（ＲＵ）を示し、前記周波数領域における前記複数のＲＵの順序で並んだ複数のユーザ固有サブフィールドを含み、前記複数のユーザ固有サブフィールドは、第１ユーザ固有サブフィールドと第２ユーザ固有サブフィールドを含み、前記第２ユーザ固有サブフィールドに対応するＲＵの開始トーンインデックスは、前記第２ユーザ固有サブフィールドに先行する前記第１ユーザ固有サブフィールドに対応するＲＵの終了トーンインデックスよりも大きい、受信装置、を提供する。
【０００９】
なお、一般的または特定の開示は、システム、方法、集積回路、コンピュータプログラム、記憶媒体、またはこれらの任意の選択的な組合せ、として実施できることに留意されたい。
【００１０】
本開示の受信装置、受信方法および集積回路では、リソース割当て情報を報告するためのオーバーヘッドの増大を抑制しながら、柔軟な周波数スケジューリングを達成することが可能である。
【図面の簡単な説明】
【００１１】
【図１】従来技術によるＰＰＤＵのフォーマットの例を図解した図を示している。
【図２】従来技術による、ＣＢＷ＝２０ＭＨｚの場合におけるデータフィールドのＯＦＤＭＡ構造の例を図解した図を示している。
【図３】従来技術による、ＣＢＷ＝４０ＭＨｚの場合におけるデータフィールドのＯＦＤＭＡ構造の例を図解した図を示している。
【図４】従来技術による、ＣＢＷ＝８０ＭＨｚの場合におけるデータフィールドのＯＦＤＭＡ構造の例を図解した図を示している。
【図５】従来技術による、データフィールドにおける連続的なリソース割当ての例を図解した図を示している。
【図６】従来技術による、データフィールドにおける不連続なリソース割当ての例を図解した図を示している。
【図７】本開示の第１の実施形態によるリソース割当ての例を図解した図を示している。
【図８Ａ】本開示の第１の実施形態によるリソース割当て指示情報の第１の例を図解した図を示している。
【図８Ｂ】本開示の第１の実施形態によるリソース割当て指示情報の第２の例を図解した図を示している。
【図８Ｃ】本開示の第１の実施形態によるリソース割当て指示情報の第３の例を図解した図を示している。
【図９】本開示の第２の実施形態によるリソース割当ての例を図解した図を示している。
【図１０Ａ】本開示の第２の実施形態によるリソース割当て指示情報の第１の例を図解した図を示している。
【図１０Ｂ】本開示の第２の実施形態によるリソース割当て指示情報の第２の例を図解した図を示している。
【図１０Ｃ】本開示の第２の実施形態によるリソース割当て指示情報の第３の例を図解した図を示している。
【図１１】本開示の第３の実施形態によるリソース割当ての例を図解した図を示している。
【図１２Ａ】本開示の第３の実施形態によるリソース割当て指示情報の第１の例を図解した図を示している。
【図１２Ｂ】本開示の第３の実施形態によるリソース割当て指示情報の第２の例を図解した図を示している。
【図１３】本開示の第３の実施形態による、ＲＵのタイプおよび位置の情報のシグナリングを図解した図を示している。
【図１４】本開示による、ＨＥ−ＳＩＧ−ＡおよびＨＥ−ＳＩＧ−Ｂの情報内容の例を図解した図を示している。
【図１５】本開示による、ＯＦＤＭＡ伝送を実行する手順の例を図解した図を示している。
【図１６】本開示による、割当てセットＩＤ管理フレームのフォーマットの例を図解した図を示している。
【図１７】本開示による、ＡＰの構成の例を図解したブロック図を示している。
【図１８】本開示による、ＳＴＡの構成の例を図解したブロック図を示している。
【図１９】本開示の第４の実施形態によるリソース割当ての例を図解した図を示している。
【図２０Ａ】本開示の第４の実施形態による、リソース割当て指示情報の第１の例を図解した図を示している。
【図２０Ｂ】本開示の第４の実施形態による、リソース割当て指示情報の第２の例を図解した図を示している。
【図２１】本開示による、ＨＥ−ＳＩＧ−ＡおよびＨＥ−ＳＩＧ−Ｂの情報内容の別の例を図解した図を示している。
【図２２】本開示による、ＨＥ−ＳＩＧ−Ｂの構造の例を図解した図を示している。
【図２３】本開示による、リソース割当て情報をＨＥ−ＳＩＧ−Ｂフィールド内に分散させる方法を図解したフローチャートを示している。
【図２４】ＣＢＷ＝８０ＭＨｚの場合におけるＨＥ−ＳＩＧ−Ｂ１またはＨＥ−ＳＩＧ−Ｂ２のフォーマットの第１の例を図解した図を示している。
【図２５】ＣＢＷ＝８０ＭＨｚの場合におけるＨＥ−ＳＩＧ−Ｂ１またはＨＥ−ＳＩＧ−Ｂ２のフォーマットの第２の例を図解した図を示している。
【図２６】ＣＢＷ＝８０ＭＨｚの場合におけるＨＥ−ＳＩＧ−Ｂ１またはＨＥ−ＳＩＧ−Ｂ２のフォーマットの第３の例を図解した図を示している。
【発明を実施するための形態】
【００１２】
以下では、本開示のさまざまな実施形態について、添付の図面を参照しながら詳しく説明する。以下の説明では、明確さと簡潔さを目的として、公知の機能および構造の詳細な説明は省いた。
【００１３】
＜本開示の基礎となる知識＞
図１は、従来技術による、ＰＰＤＵ（Physical layer Protocol Data Unit：物理層プロトコルデータユニット）１００のフォーマットの例を示している［非特許文献１および非特許文献４を参照］。ＰＰＤＵ  １００は、レガシープリアンブル１１０と、非レガシープリアンブル（すなわち高効率（ＨＥ）プリアンブル）１２０と、データフィールド１３０とを備えている。
【００１４】
データフィールド１３０は、１または複数のＳＴＡへのペイロードを伝える。ペイロードは、シングルユーザ伝送の場合に特定のＳＴＡ、またはマルチユーザＭＩＭＯ伝送の場合にＳＴＡの特定のグループを対象として、複数のＯＦＤＭシンボルにまたがってリソースユニット（ＲＵ）を単位として指定されるリソースで伝えられる。ＲＵは、１つのＲＵを構成するサブキャリアの数に応じて複数の異なるタイプを有することができる。データフィールド１３０におけるＯＦＤＭシンボルは、１２．８μｓのＤＦＴ周期および７８．１２５ｋＨｚのサブキャリア間隔を使用する。ＯＦＤＭシンボルあたりのサブキャリアの数は、チャネル帯域幅（ＣＢＷ）のサイズに依存する。例えば、ＣＢＷ＝８０ＭＨｚの場合、ＯＦＤＭシンボルあたりのサブキャリアの数は１０２４である。したがって、特定のタイプのＲＵの場合、ＯＦＤＭシンボルあたりのＲＵの最大数も、ＣＢＷのサイズに依存する。
【００１５】
図２は、従来技術による、ＣＢＷ＝２０ＭＨｚの場合におけるデータフィールド１３０のＯＦＤＭＡ構造の例を示している［非特許文献１および非特許文献２を参照］。２０ＭＨｚ  ＯＦＤＭＡでは、４種類のＲＵがサポートされる。タイプＩ  ＲＵは、２６本の連続するトーンを備えており、約２ＭＨｚの帯域幅を有する。タイプＩＩ  ＲＵは、５２本の連続するトーンを備えており、約４．１ＭＨｚの帯域幅を有する。タイプＩＩＩ  ＲＵは、１０６本の連続するトーンを備えており、約８．３ＭＨｚの帯域幅を有する。タイプＩＶ  ＲＵは、２４２本の連続するトーンを備えており、約１８．９ＭＨｚの帯域幅を有する。２０ＭＨｚ  ＯＦＤＭＡがサポートすることのできるタイプＩ  ＲＵ、タイプＩＩ  ＲＵ、タイプＩＩＩ  ＲＵ、およびタイプＩＶ  ＲＵの最大数は、それぞれ９個、４個、２個、１個である。２０ＭＨｚ  ＯＦＤＭＡでは、異なるタイプのＲＵの混合に対応することができる。例えば、２０ＭＨｚ  ＯＦＤＭＡを、１個のタイプＩＩＩ  ＲＵ  ２０２と、３個のタイプＩ  ＲＵ  ２０４，２０８，２１０と、１個のタイプＩＩ  ＲＵ  ２０６とに分割することができる。
【００１６】
図３は、従来技術による、ＣＢＷ＝４０ＭＨｚの場合におけるデータフィールド１３０のＯＦＤＭＡ構造の例を示している［非特許文献１および非特許文献２を参照］。４０ＭＨｚ  ＯＦＤＭＡでは、タイプＩ  ＲＵ、タイプＩＩ  ＲＵ、タイプＩＩＩ  ＲＵ、およびタイプＩＶ  ＲＵに加えて、タイプＶ  ＲＵもサポートされ、タイプＶ  ＲＵは、４８４本の連続するトーンを備えており、約３７．８ＭＨｚの帯域幅を有する。４０ＭＨｚ  ＯＦＤＭＡがサポートすることのできるタイプＩ  ＲＵ、タイプＩＩ  ＲＵ、タイプＩＩＩ  ＲＵ、タイプＩＶ  ＲＵ、およびタイプＶ  ＲＵの最大数は、それぞれ１８個、８個、４個、２個、１個である。４０ＭＨｚ  ＯＦＤＭＡでは、２０ＭＨｚ  ＯＦＤＭＡと同様に、異なるタイプのＲＵの混合にも対応することができる。
【００１７】
図４は、従来技術による、ＣＢＷ＝８０ＭＨｚの場合におけるデータフィールド１３０のＯＦＤＭＡ構造の例を示している［非特許文献１および非特許文献２を参照］。８０ＭＨｚ  ＯＦＤＭＡでは、タイプＩ  ＲＵ、タイプＩＩ  ＲＵ、タイプＩＩＩ  ＲＵ、タイプＩＶ  ＲＵ、およびタイプＶ  ＲＵに加えて、タイプＶＩ  ＲＵもサポートされ、タイプＶＩ  ＲＵは、９９６本の連続するトーンを備えており、約７７．８ＭＨｚの帯域幅を有する。８０ＭＨｚ  ＯＦＤＭＡがサポートすることのできるタイプＩ  ＲＵ、タイプＩＩ  ＲＵ、タイプＩＩＩ  ＲＵ、タイプＩＶ  ＲＵ、タイプＶ  ＲＵ、およびタイプＶＩ  ＲＵの最大数は、それぞれ３７個、１６個、８個、４個、２個、１個である。８０ＭＨｚ  ＯＦＤＭＡでは、２０ＭＨｚ  ＯＦＤＭＡまたは４０ＭＨｚ  ＯＦＤＭＡと同様に、異なるタイプのＲＵの混合にも対応することができる。
【００１８】
８０＋８０ＭＨｚ  ＯＦＤＭＡまたは１６０ＭＨｚ  ＯＦＤＭＡでは、８０ＭＨｚ  ＯＦＤＭＡと同様に、６種類のＲＵ、すなわちタイプＩ  ＲＵ、タイプＩＩ  ＲＵ、タイプＩＩＩ  ＲＵ、タイプＩＶ  ＲＵ、タイプＶ  ＲＵ、およびタイプＶＩ  ＲＵがサポートされる。８０＋８０ＭＨｚ  ＯＦＤＭＡまたは１６０ＭＨｚ  ＯＦＤＭＡがサポートすることのできるタイプＩ  ＲＵ、タイプＩＩ  ＲＵ、タイプＩＩＩ  ＲＵ、タイプＩＶ  ＲＵ、タイプＶ  ＲＵ、およびタイプＶＩ  ＲＵの最大数は、それぞれ７４個、３２個、１６個、８個、４個、２個である。８０＋８０ＭＨｚ  ＯＦＤＭＡまたは１６０ＭＨｚ  ＯＦＤＭＡでは、２０ＭＨｚ  ＯＦＤＭＡ、４０ＭＨｚ  ＯＦＤＭＡ、または８０ＭＨｚ  ＯＦＤＭＡと同様に、異なるタイプのＲＵの混合にも対応することができる。
【００１９】
なお、２０ＭＨｚ  ＯＦＤＭＡの場合にタイプＩＶ  ＲＵを使用することは、非ＯＦＤＭＡ構成を暗黙的に意味し、非ＯＦＤＭＡ構成とは、図１のデータフィールド１３０においてＯＦＤＭＡが使用されない場合を意味する。すなわち、動作の帯域幅全体が、シングルユーザ伝送またはマルチユーザＭＩＭＯ伝送用にスケジューリングされる。同様に、４０ＭＨｚ  ＯＦＤＭＡの場合にタイプＶ  ＲＵを使用する、または８０ＭＨｚ  ＯＦＤＭＡの場合にタイプＶＩ  ＲＵを使用することは、非ＯＦＤＭＡ構成を暗黙的に意味する。特に、１６０ＭＨｚ  ＯＦＤＭＡまたは８０＋８０ＭＨｚ  ＯＦＤＭＡの場合に２個のタイプＶＩ  ＲＵを使用することは、非ＯＦＤＭＡ構成を暗黙的に意味する。
【００２０】
ＯＦＤＭＡ周波数スケジューリングでは、連続的なリソース割当ておよび不連続なリソース割当ての両方が可能である。
【００２１】
図５は、従来技術による、データフィールド１３０における連続的なリソース割当ての例を示している［非特許文献２を参照］。図５に示すように、１つの割当てにおいて、シングルユーザ伝送の場合には特定のＳＴＡに１個のＲＵが割り当てられる、またはマルチユーザＭＩＭＯ伝送の場合にはＳＴＡの特定のグループに１個のＲＵが割り当てられる。
【００２２】
図６は、従来技術による、データフィールド１３０における不連続なリソース割当ての例を示している［非特許文献３を参照］。不連続なリソース割当てでは、周波数ダイバーシチ効果を達成する目的で、１つの割当てにおいて、周波数領域内の連続していなくてもよい２個以上のＲＵを割り当てることができる。例えば、１つの割当てにおいて３個の不連続なＲＵ  ６０２，６０４，６０６が割り当てられる。
【００２３】
図１を参照して、レガシープリアンブル１１０は、レガシー標準規格８０２．１１ａ／ｇ／ｎ／ａｃとの後方互換性を維持するために、Ｌ−ＳＴＦ（Legacy Short Training Field：レガシーショートトレーニングフィールド）１１２と、Ｌ−ＬＴＦ（Legacy Long Training Field：レガシーロングトレーニングフィールド）１１４と、Ｌ−ＳＩＧ（Legacy SIGnal field：レガシー信号フィールド）１１６とを備えている。Ｌ−ＳＴＦ１１２は、パケット先頭検出、ＡＧＣ（Automatic Gain Control：自動利得制御）の設定、初期周波数オフセット推定、および初期時間同期に使用される。Ｌ−ＬＴＦ１１４は、さらに微細な周波数オフセット推定および時間同期に使用される。また、Ｌ−ＬＴＦ１１４は、Ｌ−ＳＩＧ１１６、ＨＥ−ＳＩＧ−Ａ（High Efficiency SIGnal A field：高効率信号Ａフィールド）１２２、およびＨＥ−ＳＩＧ−Ｂ（High Efficiency SIGnal B field：高効率信号Ｂフィールド）１２４を受信および等化するためのチャネル推定を生成するためにも使用される。
【００２４】
ＨＥプリアンブル１２０は、第１の信号フィールド（すなわちＨＥ−ＳＩＧ−Ａ）１２２と、第２の信号フィールド（すなわちＨＥ−ＳＩＧ−Ｂ）１２４と、ＨＥ−ＳＴＦ１２６と、ＨＥ−ＬＴＦ１２８とを備えている。ＨＥ−ＳＴＦ１２６は、ＡＧＣを維持するために使用される。ＨＥ−ＬＴＦ１２８は、複数のＨＥ−ＬＴＦシンボルを備えており、データフィールド１３０を受信および等化するためのＭＩＭＯ（Multiple Input Multiple Output：多入力多出力）チャネル推定を生成するために使用される。ＰＰＤＵ１００がＤＬ  ＯＦＤＭＡ  ＰＰＤＵである場合、ＨＥ−ＳＩＧ−Ａ１２２およびＨＥ−ＳＩＧ−Ｂ１２４の両方がリソース割当て（リソースアサインメント）情報およびユーザ特定情報を含み、これらは、スケジューリングされた各ＳＴＡが、指定されたリソースにおいてデータフィールド１３０内の自身のペイロードを復号するために使用される［非特許文献４を参照］。ＰＰＤＵ１００がＵＬ  ＯＦＤＭＡ  ＰＰＤＵである場合、ＨＥ−ＳＩＧ−Ａ１２２およびＨＥ−ＳＩＧ−Ｂ１２４はリソース割当て情報およびユーザ特定情報のいずれも含まなくてよく、なぜならこのような情報は、ＡＰによって事前に設定され、前に送信されたＤＬ  ＰＰＤＵのデータフィールド内で伝えられるトリガーフレームを介して、スケジューリング対象のＳＴＡに送られるためである［非特許文献５を参照］。なお８０２．１１ａｘでは、ＨＥ−ＳＩＧ−Ａ１２２およびＨＥ−ＳＩＧ−Ｂ１２４のいずれも、３．２μｓのＤＦＴ周期および３１２．５ｋＨｚのサブキャリア間隔を使用することに留意されたい。
【００２５】
次に、周波数スケジューリングにおけるリソース割当て（リソースアサインメント）のさまざまな実施形態について、さらに詳しく説明する。
【００２６】
＜第１の実施形態＞
図７は、本開示の第１の実施形態によるリソース割当ての例を示している。第１の実施形態は、１つの割当て（アサインメント）において周波数領域内の連続する１つまたは複数のＲＵが割り当てられる連続的なリソース割当てに適用可能である。この例では、８０ＭＨｚ  ＯＦＤＭＡにおいて１１の割当てが存在する。各割当て（割当てインデックスによって参照される）は、シングルユーザ伝送の場合に特定のＳＴＡ、またはマルチユーザＭＩＭＯ伝送の場合にＳＴＡの特定のグループ、のいずれかにアドレッシングされる。
【００２７】
第１の実施形態によると、最初の割当ては、所定の開始位置（例えば、ＣＢＷのサイズおよび最初のＲＵのタイプに従って認識される、最初のＲＵ（例：図２に示した２０２）の開始トーンインデックス）を有する。そして次の割当ての開始トーンインデックスは、その前の割当ての終了トーンインデックスの隣である（すなわち連続する割当ての間にギャップは存在しない）。割当ての合計数は、アクセスポイント（ＡＰ）と１または複数の端末装置（ＳＴＡ）との間であらかじめネゴシエーションされる、あるいはＤＬ  ＰＰＤＵのＨＥ−ＳＩＧ−Ａフィールドまたはトリガーフレームにおいて各ＳＴＡに明示的にシグナリングされる。しかしながら、利用可能なＲＵすべてが割り当てられると想定すると、ある割当てにおいて最後のＲＵ（例：図２に示した２１０）が割り当てられる場合、ＳＴＡはその割当てが最後の割当てであると判断することができる。したがって、割当ての合計数のシグナリングを省くことができる。
【００２８】
第１の実施形態によると、最初の割当ての開始位置があらかじめ決められ、以降の割当ての開始位置を、その前の割当ての終了位置から求めることができる。したがって、各割当ての割当て帯域幅を報告すれば十分である。結果として、各割当てのソース割当て情報を報告することによるオーバーヘッドを最小にすることができる。
【００２９】
第１の実施形態によると、リソース割当て情報は、それぞれが特定の割当てに対応する複数のリソース割当て指示情報、を含む。
【００３０】
図８Ａは、本開示の第１の実施形態による、１つの割当てのリソース割当て指示情報の第１の例を示している。１つの割当てのリソース割当て指示情報は、割り当てられるＲＵの数と、割り当てられるＲＵそれぞれのタイプとを含み、これらからその割当ての割当て帯域幅を導くことができる。
【００３１】
図８Ｂは、本開示の第１の実施形態による、１つの割当てのリソース割当て指示情報の第２の例を示している。この例では、１つの割当てにおいて同じタイプのＲＵのみを割り当てることができる。割当てのリソース割当て指示情報は、割り当てられるＲＵの数と、割り当てられるＲＵのタイプとを含み、これらからその割当てにおける割当て帯域幅を導くことができる。
【００３２】
図８Ｃは、本開示の第１の実施形態による、１つの割当てのリソース割当て指示情報の第３の例を示している。この例では、１つの割当てにおいて１個のＲＵのみを割り当てることができる。割当てのリソース割当て指示情報は、割り当てられるＲＵのタイプのみを含み、この情報からその割当てにおける割当て帯域幅を導くことができる。
【００３３】
第１の実施形態の上述した例では、割り当てられるＲＵの数とＲＵのタイプが、ビットシグナリングを使用することによって個別に示される。
【００３４】
第１の実施形態によると、割り当てられるＲＵの数を示すために、表１に示した２ビットシグナリングを使用することができる。表１によると、１つの割当てにおいて１〜４個のＲＵを割り当てることができる。
【００３５】
【表１】
2020025352.tif 000003
【００３６】
さらに次のように、ＲＵのタイプを示すために、表２に示した３ビットシグナリングを使用することができる。
【００３７】
【表２】
2020025352.tif 000004
【００３８】
例えば、図７に示した最初の割当てにおいて割り当てられるＲＵのタイプ（タイプＩＩ  ＲＵ）は、「００１」によって示すことができる。
【００３９】
第１の実施形態によると、２０ＭＨｚの非ＯＦＤＭＡ伝送の場合、割り当てられるＲＵの数が１個に設定され、割り当てられるＲＵのタイプがタイプＩＶに設定される。４０ＭＨｚの非ＯＦＤＭＡ伝送の場合、割り当てられるＲＵの数が１個に設定され、割り当てられるＲＵのタイプがタイプＶに設定される。８０ＭＨｚの非ＯＦＤＭＡ伝送の場合、割り当てられるＲＵの数が１個に設定され、割り当てられるＲＵのタイプがタイプＶＩに設定される。８０＋８０ＭＨｚまたは１６０ＭＨｚの非ＯＦＤＭＡ伝送の場合、割り当てられるＲＵの数が２個に設定され、割り当てられるＲＵそれぞれのタイプがタイプＶＩに設定される。このようにすることで、ＳＴＡは、入ってくるＤＬ  ＰＰＤＵ１００がＯＦＤＭ  ＰＰＤＵであるのか非ＯＦＤＭＡ  ＰＰＤＵであるのかを、このような目的の専用シグナリングなしに、リソース割当て情報に従って判断することができる。
【００４０】
＜第２の実施形態＞
図９は、本開示の第２の実施形態によるリソース割当ての例を示している。第２の実施形態も、１つの割当てにおいて、周波数領域内の連続する１つまたは複数のＲＵを割り当てることのできる連続的なリソース割当てに適用可能である。この例では、８０ＭＨｚ  ＯＦＤＭＡにおいて１０個の割当てが存在する。各割当ては、シングルユーザ伝送の場合に特定のＳＴＡ、または、マルチユーザＭＩＭＯ伝送の場合にＳＴＡの特定のグループ、のいずれかにアドレッシングされる。
【００４１】
第２の実施形態によると、最初の割当ての開始位置を可変とすることができ、連続する割当ての間にギャップが存在していてよい。この実施形態では、割当ての開始トーンインデックスは、それに先行する割当ての終了トーンインデックスよりもつねに大きい。割当ての合計数は、ＡＰと１または複数のＳＴＡとの間であらかじめネゴシエーションされる、あるいは、ＤＬ  ＰＰＤＵのＨＥ−ＳＩＧ−Ａフィールドまたはトリガーフレームにおいて各ＳＴＡに明示的にシグナリングされる。
【００４２】
第２の実施形態によると、最初の割当ての開始位置は可変であり、次の割当ての開始位置を、それに先行する割当ての終了位置のみからは導くことができない。したがって、割当て帯域幅に加えて、各割当ての開始位置を報告する必要がある。
【００４３】
第２の実施形態によると、リソース割当て情報は、それぞれが特定の割当てに対応する複数のリソース割当て指示情報を含む。
【００４４】
図１０Ａは、本開示の第２の実施形態による、１つの割当てのリソース割当て指示情報の第１の例を示している。１つの割当てのリソース割当て指示情報は、割当てオフセットと、割り当てられるＲＵの数と、割り当てられるＲＵそれぞれのタイプとを含む。図９に示したように、最初の割当てでは、割当てオフセット９０２は、最初のタイプＩ  ＲＵの開始トーンインデックスを基準とする。残りの割当てそれぞれでは、割当てオフセット（例：９０４）は、その前の割当ての終了トーンインデックスを基準とする。次の割当ての開始位置は、割当てオフセットと、その前の割当ての終了トーンインデックスとに従って求めることができる。さらに、割当ての割当て帯域幅は、割り当てられるＲＵの数と、割り当てられるＲＵそれぞれのタイプとに従って求めることができる。
【００４５】
図１０Ｂは、本開示の第２の実施形態による、１つの割当てのリソース割当て指示情報の第２の例を示している。この例では、１つの割当てにおいて同じタイプのＲＵのみを割り当てることができる。割当てのリソース割当て指示情報は、割当てオフセットと、割り当てられるＲＵの数と、割り当てられるＲＵのタイプとを含む。割当ての開始位置は、割当てオフセットと、その前の割当ての終了トーンインデックスとに従って求めることができる。さらに、割当ての割当て帯域幅は、割り当てられるＲＵの数と、割り当てられるＲＵのタイプとに従って求めることができる。
【００４６】
図１０Ｃは、本開示の第２の実施形態による、１つの割当てのリソース割当て指示情報の第３の例を示している。この例では、１つの割当てにおいて１個のＲＵのみを割り当てることができる。割当てのリソース割当て指示情報は、割当てオフセットと、割り当てられるＲＵのタイプとを含む。割当ての開始位置は、割当てオフセットと、その前の割当ての終了トーンインデックスとに従って求めることができる。さらに、割当ての割当て帯域幅は、割り当てられるＲＵのタイプに従って求めることができる。
【００４７】
あるＲＵの受信品質が、スケジューリング対象のＳＴＡすべてにおいて極めて低い場合、ＡＰは、それらのＳＴＡにそのＲＵを割り当てなくてもよい。この実施形態では、受信品質が低いこのＲＵは、リソース割当てには使用されず、２つの割当ての間のギャップになる。ギャップを形成する使用されないＲＵの数は、１つまたは複数とすることができる。結果として、この第２の実施形態では、第１の実施形態よりも周波数スケジューリングにおける高い柔軟性を提供する。リソース割当て情報を報告するためのオーバーヘッドは、第１の実施形態と比較してわずかに増大する。しかしながら、このようなオーバーヘッドの増大はさほど重大ではない。
【００４８】
第２の実施形態の上述した例では、割当てオフセット、割り当てられるＲＵの数、およびＲＵのタイプは、ビットシグナリングを使用することによって個別に示される。
【００４９】
第２の実施形態によると、割当てオフセットが３個のタイプＩ  ＲＵよりも大きくない場合、表３に示した２ビットシグナリングを使用して、最小のＲＵ（すなわちタイプＩ  ＲＵ）を単位として割当てオフセットを示すことができる。
【００５０】
【表３】
2020025352.tif 000005
【００５１】
例えば、図９に示した最初の割当てにおいて、割当てオフセット９０２（例：２個のタイプＩ  ＲＵのオフセット）を「１０」によって示すことができる。
【００５２】
割り当てられるＲＵの数は、表１に示した２ビットシグナリングを使用して示すことができる。代替の２ビットシグナリングは、表４に示される。表４によると、１つの割当てにおいて０〜３個のＲＵを割り当てることができる。割当てにおいてＲＵが割り当てられないとき、その割当ては、０個のＲＵが割り当てられる「ダミー割当て（ダミーアサインメント）」と称される。
【００５３】
【表４】
2020025352.tif 000006
【００５４】
表４に示した２ビットシグナリングでは、３個のタイプＩ  ＲＵより大きいオフセットを示すことが可能となる。例えば、最初の割当てと２番目の割当てとの間に５個のタイプＩ  ＲＵのオフセットが存在する場合、このオフセットは、０個のＲＵが割り当てられる「ダミー割当て」を挿入することによって示される。より具体的には、最初の割当てと２番目の割当てとの間に位置する「ダミー割当て」は、３個のＲＵのオフセットを有し、２番目の割当てが２個のＲＵのオフセットを有する。この場合、合計オフセットは５個のタイプＩ  ＲＵである。さらに、表４に示した２ビットシグナリングでは、割当ての合計数の明示的なシグナリングを省くことが可能となる。例えば、最後の（１つまたは複数の）ＲＵ（例：図２に示した２１０）がいずれのＳＴＡにも割り当てられない場合、０個のＲＵが割り当てられる「ダミー割当て」（いくらかのオフセットを有する）を使用して、このような使用されないリソース（ＲＵ）を示すことができる。この場合、ＳＴＡは、ダミー割当てが最後の割当てであることを判断することができる。
【００５５】
第２の実施形態によると、２０ＭＨｚの非ＯＦＤＭＡ伝送の場合、割り当てられるＲＵの数が１個に設定され、割り当てられるＲＵのタイプがタイプＩＶに設定される。４０ＭＨｚの非ＯＦＤＭＡ伝送の場合、割り当てられるＲＵの数が１個に設定され、割り当てられるＲＵのタイプがタイプＶに設定される。８０ＭＨｚの非ＯＦＤＭＡ伝送の場合、割り当てられるＲＵの数が１個に設定され、割り当てられるＲＵのタイプがタイプＶＩに設定される。８０＋８０ＭＨｚまたは１６０ＭＨｚの非ＯＦＤＭＡ伝送の場合、割り当てられるＲＵの数が２個に設定され、割り当てられるＲＵそれぞれのタイプがタイプＶＩに設定される。このようにすることで、ＳＴＡは、入ってくるＤＬ  ＰＰＤＵ  １００がＯＦＤＭ  ＰＰＤＵであるのか非ＯＦＤＭＡ  ＰＰＤＵであるのかを、このような目的の専用シグナリングなしに、リソース割当て情報に従って判断することができる。
【００５６】
＜第３の実施形態＞
図１１は、本開示の第３の実施形態によるリソース割当ての例を示している。第３の実施形態は、連続的なリソース割当てと不連続なリソース割当ての両方に適用可能であり、不連続なリソース割当てでは、周波数領域内の連続していない１個または複数のＲＵを１つの割当てにおいて割り当てられる。第３の実施形態では、第１の実施形態および第２の実施形態よりも周波数スケジューリングにおいてさらに高い柔軟性が可能である。この例では、８０ＭＨｚ  ＯＦＤＭＡにおいて１０つの割当てが存在する。各割当ては、シングルユーザ伝送の場合に特定のＳＴＡ、またはマルチユーザＭＩＭＯ伝送の場合にＳＴＡの特定のグループ、のいずれかにアドレッシングされる。
【００５７】
第３の実施形態によると、割当ての合計数は、ＡＰと１または複数のＳＴＡとの間であらかじめネゴシエーションされる、あるいはＤＬ  ＰＰＤＵのＨＥ−ＳＩＧ−Ａフィールドまたはトリガーフレームにおいて各ＳＴＡに明示的にシグナリングされる。
【００５８】
第３の実施形態によると、リソース割当て情報は、それぞれが特定の割当てに対応する複数のリソース割当て指示情報を含む。
【００５９】
図１２Ａは、本開示の第３の実施形態による、１つの割当てのリソース割当て指示情報の第１の例を示している。各割当てにおいて、リソース割当て指示情報は、割り当てられるＲＵの数と、割り当てられるＲＵそれぞれのタイプおよび位置の情報とを含む。
【００６０】
図１２Ｂは、本開示の第３の実施形態による、１つの割当てのリソース割当て指示情報の第２の例を示している。この例では、１つの割当てにおいて１個のＲＵのみを割り当てることができる。割当てにおいて、リソース割当て指示情報は、割り当てられるＲＵのタイプおよび位置の情報を含む。
【００６１】
第３の実施形態によると、割り当てられるＲＵのタイプおよび位置が、１つのシグナリングフィールドにおいて一緒にシグナリングされる。すなわち、１つのシグナリングフィールドを使用して、割り当てられるＲＵそれぞれの位置およびタイプの両方を示すことができる。図１３は、本開示の第３の実施形態による、ＲＵのタイプおよび位置の情報のシグナリングを示している。２０ＭＨｚ  ＯＦＤＭＡがサポートすることのできるＲＵについて、ＲＵのタイプおよび位置の情報の符号化が実行され、それに続いて、４０ＭＨｚ  ＯＦＤＭＡがサポートすることのできる追加のＲＵの符号化、８０ＭＨｚ  ＯＦＤＭＡがサポートすることのできる追加のＲＵの符号化、１６０ＭＨｚおよび８０＋８０ＭＨｚ  ＯＦＤＭＡがサポートすることのできる追加のＲＵの符号化が、この順序で実行される。
【００６２】
ＤＬ  ＰＰＤＵのＨＥプリアンブルにおいては、２０ＭＨｚ  ＯＦＤＭＡのＲＵに関する割当て情報が最初に配置され、それに続いて、４０ＭＨｚ  ＯＦＤＭＡの追加のＲＵに関する割当て情報、８０ＭＨｚ  ＯＦＤＭＡの追加のＲＵに関する割当て情報、１６０ＭＨｚ  ＯＦＤＭＡの追加のＲＵに関する割当て情報が、この順序で配置される。これによって、ＣＢＷ＝２０ＭＨｚのみをサポートする、リソース割当て情報の受信機（すなわちＳＴＡ）は、リソース割当て情報の最初の部分（すなわち２０ＭＨｚ  ＯＦＤＭＡのＲＵに関する割当て情報）のみを復号すればよく、リソース割当て情報の残りの部分を無視できるという技術的利点が提供される。同様に、ＣＢＷ＝４０ＭＨｚをサポートするＳＴＡは、リソース割当て情報の最初と２番目の部分（すなわち２０ＭＨｚ  ＯＦＤＭＡおよび４０ＭＨｚ  ＯＦＤＭＡのＲＵに関する割当て情報）のみを復号すればよい。さらに、ＣＢＷ＝８０ＭＨｚをサポートするＳＴＡは、リソース割当て情報の最初と２番目と３番目の部分（すなわち２０ＭＨｚ  ＯＦＤＭＡ、４０ＭＨｚ  ＯＦＤＭＡ、および８０ＭＨｚ  ＯＦＤＭＡのＲＵに関する割当て情報）を復号すればよい。ＣＢＷ＝１６０ＭＨｚをサポートするＳＴＡは、リソース割当て情報の全体を復号しなければならない。このようにすることで、より小さいチャネル帯域幅（ＣＢＷ）をサポートするＳＴＡにおける復号の作業負荷を、大幅に減らすことができる。
【００６３】
図１３に示したＲＵのタイプおよび位置の情報のシグナリングによると、一実施形態においては、８ビットのシグナリングを使用して、割り当てられるＲＵのタイプおよび位置を示す。このため、リソース割当て情報を報告するためのオーバーヘッドが、第２の実施形態と比較してさらに増大する。これに代えて、ＣＢＷに応じて長さが可変であるシグナリングを使用することができる。より詳細には、ＣＢＷ＝２０ＭＨｚのときには４ビットのシグナリング、ＣＢＷ＝４０ＭＨｚのときには６ビットのシグナリング、ＣＢＷ＝８０ＭＨｚのときには７ビットのシグナリング、ＣＢＷ＝８０＋８０ＭＨｚまたは１６０ＭＨｚのときには８ビットのシグナリング、を使用することができる。結果として、柔軟性がさらに高い周波数スケジューリングに起因する、リソース割当て情報を報告するオーバーヘッドの増大が減る。例えば、図１１に示した８０ＭＨｚ  ＯＦＤＭＡの最初の割当てに割り当てられるＲＵのタイプおよび位置の情報は、「０００１０１０」によって示すことができる。
【００６４】
図１３に示したＲＵのタイプおよび位置の情報のシグナリングによると、最大２０ＭＨｚのＣＢＷをサポートするＳＴＡは、割り当てられるＲＵそれぞれのタイプおよび位置を復号する目的で、４ビットの参照テーブルを維持するのみでよい。同様に、最大４０ＭＨｚのＣＢＷをサポートするＳＴＡは、６ビットの参照テーブルを維持するのみでよく、最大８０ＭＨｚのＣＢＷをサポートするＳＴＡは、７ビットの参照テーブルを維持するのみでよい。結果として、サポートされるＣＢＷに関してＰＨＹ能力が異なるＳＴＡにおいて、割り当てられるＲＵそれぞれのタイプおよび位置の情報を復号するのに必要なメモリが最小になる。
【００６５】
第３の実施形態によると、２０ＭＨｚの非ＯＦＤＭＡ伝送の場合、割り当てられるＲＵの数が１個に設定され、割り当てられるＲＵのタイプおよび位置が第１のタイプＩＶ  ＲＵに設定される。４０ＭＨｚの非ＯＦＤＭＡ伝送の場合、割り当てられるＲＵの数が１個に設定され、割り当てられるＲＵのタイプおよび位置が第１のタイプＶ  ＲＵに設定される。８０ＭＨｚの非ＯＦＤＭＡ伝送の場合、割り当てられるＲＵの数が１個に設定され、割り当てられるＲＵのタイプおよび位置が第１のタイプＶＩ  ＲＵに設定される。８０＋８０ＭＨｚまたは１６０ＭＨｚの非ＯＦＤＭＡ伝送の場合、割り当てられるＲＵの数が２個に設定され、割り当てられるＲＵのタイプおよび位置が、それぞれ第１のタイプＶＩ  ＲＵおよび第２のタイプＶＩ  ＲＵに設定される。したがって、ＳＴＡは、入ってくるＤＬ  ＰＰＤＵ  １００がＯＦＤＭ  ＰＰＤＵであるのか非ＯＦＤＭＡ  ＰＰＤＵであるのかを、このような目的の専用シグナリングなしに、リソース割当て情報に従って判断することができる。
【００６６】
＜ＨＥ  ＳＩＧフィールド＞
図１４は、本開示による、ＤＬ  ＰＰＤＵ１００のＨＥ−ＳＩＧ−Ａ１２２およびＨＥ−ＳＩＧ−Ｂ１２４の情報内容の例を示している。共通制御情報は、非ＯＦＤＭＡ伝送用のＨＥ−ＳＩＧ−Ａと、ＯＦＤＭＡ伝送用のＨＥ−ＳＩＧ−Ａの両方に含まれる。本開示によると、非ＯＦＤＭＡ伝送用のＨＥ−ＳＩＧ−Ａ１２２に含まれる情報は、ＯＦＤＭＡ伝送用のＨＥ−ＳＩＧ−Ａ１２２とは異なる。非ＯＦＤＭＡ伝送の場合、ＨＥ−ＳＩＧ−Ａフィールド１２２は、共通制御情報に加えて、シングルユーザ伝送またはマルチユーザＭＩＭＯ伝送におけるリソース割当て情報およびユーザ特定情報を含む。データフィールド１３０における非ＯＦＤＭＡ伝送の場合、ＨＥ−ＳＩＧ−Ｂフィールド１２４が存在しない。データフィールド１３０におけるＯＦＤＭＡ伝送の場合、ＨＥ−ＳＩＧ−Ａフィールド１２２は、共通制御情報に加えて、第１の割当てのリソース割当て指示情報およびユーザ特定情報を含み、ＨＥ−ＳＩＧ−Ｂフィールド１２４は、残りの割当てそれぞれのリソース割当て指示情報およびユーザ特定情報を含む。
【００６７】
本開示によると、共通制御情報は、ＣＢＷおよびＧＩ（Guard Interval：ガードインターバル）などを含む。ユーザ特定情報は、スケジューリング対象のＳＴＡそれぞれが自身のペイロード（例えば、グループＩＤ、Ｎｓｔｓ（すなわち空間時間ストリームの数）、ＭＣＳ（変調・符号化方式）など）を復号するために必要である。
【００６８】
本開示によると、共通制御情報は、リソース割当て情報によって示される複数のリソース割当てを、スケジューリング対象のＳＴＡにマッピングする割当てセットＩＤ（assignment set ID）（後から詳しく説明する）、をさらに含む。結果として、ＳＴＡは、ＤＬ  ＰＰＤＵ１００のＨＥ−ＳＩＧ−Ａ１２２を復号した後、ＰＰＤＵ１００によって自身がアドレッシングされていないと判断した場合、ＰＰＤＵ１００の残りを無視し、電力消費量を減らす。
【００６９】
本開示によると、共通制御情報は、割当てセットＩＤとともに割当て定義済フラグ（Allocation Defined flag）をさらに含むことができる。いま、最初のＤＬ  ＰＰＤＵおよび次の２番目のＤＬ  ＰＰＤＵが同じ割当てセットＩＤに関連付けられていると想定する。最初のＤＬ  ＰＰＤＵに含まれているリソース割当て情報を２番目のＤＬ  ＰＰＤＵによって再利用することができる場合、２番目のＤＬ  ＰＰＤＵの割当て定義済フラグが設定される。その場合、２番目のＤＬ  ＰＰＤＵのリソース割当て情報を省くことができ、したがってシグナリングオーバーヘッドを減らすことができる。
【００７０】
図１４に示した本開示によると、ＨＥ−ＳＩＧ−Ａ１２２は、データフィールド１３０における非ＯＦＤＭＡ伝送の場合とＯＦＤＭＡ伝送の場合とで類似する情報を含む。これにより、ＳＴＡの実装の複雑さが減少する。
【００７１】
図１４に示した本開示によると、データフィールド１３０において非ＯＦＤＭＡ伝送が実行されるときには、ＨＥ−ＳＩＧ−Ｂ１２４が存在しない。結果として、ＳＴＡはＨＥ−ＳＩＧ−Ｂ１２４を復号する必要がなく、これによりＳＴＡの電力消費量が減少する。
【００７２】
＜無線通信システム＞
図１５は、本開示による、無線通信システムにおいてＯＦＤＭＡ伝送を実行する手順の例を示している。無線通信システムは、ＡＰ１５０２と、ＡＰ１５０２に関連付けられている複数のＳＴＡ（例：１５０４）とを備えている。ＡＰ１５０２は、無線通信システムにおいて複数のＲＵを使用して周波数スケジューリングを実行する。
【００７３】
ＤＬ  ＯＦＤＭＡ伝送を開始する前には、ＡＰ１５０２は、ＤＬ割当てセットおよびそれらのセットの中の固有の割当てインデックスにＳＴＡを割り当てることによって、ＤＬ  ＯＦＤＭＡ  ＰＰＤＵによってアドレッシングすることのできるＳＴＡの可能な組合せを決定する。１つの割当てセットは、割当てセットＩＤによって識別され、複数のＳＴＡおよび複数の割当てインデックスを参照し、この場合、複数の割当てインデックスそれぞれが複数のＳＴＡの１または複数にアドレッシングされる。例えば、１つの割当てセットが、２つのＳＴＡ（ＳＴＡ１およびＳＴＡ２）と２つの割当てを含み、この場合、第１の割当てがＳＴＡ１にアドレッシングされ、第２の割当てがＳＴＡ２にアドレッシングされる。次いでＡＰ１５０２は、ＳＴＡ１５０４がメンバーである１つまたは複数のＤＬ割当てセットに対応する割当てインデックスを割り当てるまたは変更するため、割当てセットＩＤ管理フレーム（Assignment Set ID Management frame）１５１０をＳＴＡ１５０４に送信する。
【００７４】
ＵＬ  ＯＦＤＭＡ伝送を開始する前には、ＡＰ１５０２は、ＵＬ割当てセットおよびそれらのセットの中の固有の割当てインデックスにＳＴＡを割り当てることによって、ＵＬ  ＯＦＤＭＡ  ＰＰＤＵを送信するＳＴＡの可能な組合せを決定する。次いでＡＰ１５０２は、ＳＴＡ１５０４がメンバーである１つまたは複数のＵＬ割当てセットに対応する割当てインデックスを割り当てるまたは変更するため、割当てセットＩＤ管理フレーム１５１２をＳＴＡ１５０４に送信する。
【００７５】
図１６は、本開示による、割当てセットＩＤ管理フレーム１５１０または１５１２のフォーマットの例を示している。フレーム１５１０は、方向（Directionality）フィールド１６２２と、メンバーシップステータスアレイ（Membership Status Array）フィールド１６２４と、割当てインデックスアレイ（Assignment Index Array）フィールド１６２６を含む。方向フィールド１６２２は、ＯＦＤＭＡ割当てセットがＤＬ用かＵＬ用かを示す。フレーム１５１０の中のメンバーシップステータスアレイフィールド１６２４の複数のサブフィールドを１に設定することによって、ＳＴＡ１５０４は、複数のセットに割り当てられる。ＳＴＡ１５０４がメンバーである割当てセットそれぞれにおける割当てインデックスは、フレーム１５１０の中の割当てインデックスアレイフィールド１６２６の中の関連付けられるサブフィールドによって示される。ＡＰ１５０２は、各セットＩＤにおいて、複数のＳＴＡに同じ割当てインデックスを割り当てることができる。ＳＴＡ１５０４は、自身がメンバーである各セットにおいて１つの割当てインデックスのみを有する。
【００７６】
本開示によると、ＳＴＡ１５０４がＡＰ１５０２に関連付けられているとき、ＡＰ１５０２は割当てセットＩＤ管理フレームをＳＴＡ１５０４に送信することができる。さらに、ＡＰ１５０２は、周期的または必要な場合に、割当てセットＩＤ管理フレームをＳＴＡ１５０４に送信することができる。
【００７７】
ＯＦＤＭＡ伝送において、ある期間にわたりＳＴＡの特定の組合せのみがＡＰ１５０２と通信することが許可される場合、各ＳＴＡの割当てインデックスを示すために、割当てセットＩＤ管理フレームの代わりに単純な管理フレームを使用することができる。この場合、ＤＬ  ＰＰＤＵのＨＥ−ＳＩＧ−Ａまたはトリガーフレーム内の割当てセットＩＤを省くことができる。
【００７８】
ＡＰ１５０２のバッファに、ＳＴＡ１５０４にアドレッシングされたデータが存在する場合、ＡＰ１５０２は、ＳＴＡ１５０４がメンバーであるＤＬ割当てセットを選択し、ＳＴＡ  １５０４にアドレッシングされたデータを送信するために必要なＤＬリソースを、データサイズおよびＱｏＳ（Quality of Service：サービス品質）要件に基づいて決定する。次いでＡＰ１５０２は、ＳＴＡ１５０４にアドレッシングされたデータと、選択されたＤＬ割当てセットの割当てセットＩＤと、ＳＴＡ１５０４がＤＬ  ＯＦＤＭＡ  ＰＰＤＵ１５１４内の自身のデータを復号するのに必要である他の制御情報（例：リソース割当て情報）とを含むＤＬ  ＯＦＤＭＡ  ＰＰＤＵ１５１４を、送信する。なお、ＤＬ  ＯＦＤＭＡ  ＰＰＤＵ１５１４と同じ割当てセットＩＤを含む次のＤＬ  ＯＦＤＭＡ  ＰＰＤＵが送信されるときに、ＤＬ  ＯＦＤＭＡ  ＰＰＤＵ１５１４に含まれているリソース割当て情報を次のＤＬ  ＯＦＤＭＡ  ＰＰＤＵによって再利用できる場合、次のＤＬ  ＯＦＤＭＡ  ＰＰＤＵの中の割当て定義済フラグがセットされ、この場合、次のＤＬ  ＯＦＤＭＡ  ＰＰＤＵにリソース割当て情報を含める必要がないことに留意されたい。
【００７９】
ＳＴＡ１５０４のバッファに、ＡＰ１５０２にアドレッシングされたデータが存在する場合、ＳＴＡ１５０４は、自身のデータの送信帯域幅を要求するためにＡＰ１５０２とのＡＤＤＴＳ要求／応答フレーム交換１５１６を実行することができる。ＡＤＤＴＳ要求フレームは、ＲＵに関する情報（例えば、どのＲＵがＳＴＡ１５０４に対して好ましい、または好ましくないかを示すためのチャネル品質情報）も含むことができる。この場合、ＡＰ１５０２は、ＳＴＡ１５０４がメンバーであるＵＬ割当てセットを選択し、ＳＴＡ１５０４によって要求された送信帯域幅に従ってＵＬリソースを決定する。その後、ＡＰ１５０２は、選択されたＵＬ割当てセットの割当てセットＩＤと、ＳＴＡ１５０４が自身のデータを送信するために必要である他の制御情報（例：リソース割当て情報）とを含むトリガーフレーム１５１８を、ＳＴＡ１５０４に送信する。なお、トリガーフレーム１５１８と同じ割当てセットＩＤを含む次のトリガーフレームが送信されるとき、トリガーフレーム１５１８に含まれているリソース割当て情報を次のトリガーフレームによって再利用できる場合、次のトリガーフレームの中の割当て定義済フラグがセットされ、この場合、次のトリガーフレームにリソース割当て情報を含める必要がないことに留意されたい。さらに、トリガーフレームは、ＵＬ送信電力制御情報と、ＵＬ送信時間情報を含むことができる。ＳＴＡ１５０４は、トリガーフレーム１５１８を受信した後、それに応じて指定されたリソースを使用して自身のデータを送るため、ＵＬ  ＯＦＤＭＡ  ＰＰＤＵ１５２０を送信する。ＡＰ１５０２において、各ＳＴＡからの受信電力間の大きな変動を回避することができるように、ＳＴＡ１５０４は、自身の送信電力を送信電力制御情報に基づいて制御することができる。
【００８０】
＜アクセスポイントの構成＞
図１７は、本開示による、ＡＰ１５０２の構成の例を示しているブロック図である。ＡＰ１５０２は、コントローラ１７０２と、スケジューラ１７０４と、メッセージ生成器１７０８と、メッセージプロセッサ１７０６と、ＰＨＹプロセッサ１７１０と、アンテナ１７１２とを備えている。コントローラ１７０２は、ＭＡＣプロトコルコントローラであり、一般的なＭＡＣプロトコル動作を制御する。
【００８１】
ＤＬ  ＯＦＤＭＡ伝送では、スケジューラ１７０４が、コントローラ１７０２の制御下で、ＳＴＡからのチャネル品質インジケータ（ＣＱＩ）に基づいて周波数スケジューリングを実行し、ＳＴＡへのデータをＲＵに割り当てる。ＣＱＩベースのスケジューリング方法の例としては、Ｍａｘ  ＣＩＲ法およびプロポーショナル・フェアネス法（proportional-fairness method）が挙げられる。さらに、スケジューラ１７０４は、リソース割当ての結果をメッセージ生成器１７０８に出力する。メッセージ生成器１７０８は、対応する共通制御情報と、リソース割当て情報と、ユーザ特定情報と、スケジューリング対象のＳＴＡへのデータとを生成し、これらはＰＨＹプロセッサ１７１０によってＯＦＤＭＡ  ＰＰＤＵに編成され、アンテナ１７１２を通じて送信される。リソース割当て情報は、上述した実施形態に従って設定される。一方で、メッセージプロセッサ１７０６は、コントローラ１７０２の制御下でアンテナ１７１２を通じてＳＴＡから受信されたＣＱＩを分析し、それらをスケジューラ１７０４およびコントローラ１７０２に提供する。これらのＣＱＩは、ＳＴＡから報告された受信品質情報である。さらに、各ＳＴＡは、受信ＳＮＲ、受信ＳＩＲ、受信ＳＩＮＲ、受信ＣＩＮＲ、受信電力、干渉電力、ビット誤り率、スループット、およびＭＣＳを使用して、ＲＵ単位で受信品質を測定することができ、これにより所定の誤り率を達成することができる。さらに、ＣＱＩは、「ＣＳＩ」（Channel State Information：チャネル状態情報）と称されることもある。
【００８２】
ＵＬ  ＯＦＤＭＡ伝送では、スケジューラ１７０４は、コントローラ１７０２の制御下で、ＳＴＡからの送信帯域幅要求に基づいて周波数スケジューリングを実行し、スケジューリング対象のＳＴＡがＵＬデータを送信するためのリソースを割り当てる。同時にスケジューラ１７０４は、時間スケジューリングも実行して、ＵＬ  ＯＦＤＭＡフレームまたは送信機会（ＴＸＯＰ）の持続時間（ＳＴＡがＵＬ  ＯＦＤＭＡフレームの交換を実行する権利を有する）を決定することもできる。さらに、スケジューラ１７０４は、リソース割当ての結果をメッセージ生成器１７０８に出力する。メッセージ生成器１７０８は、共通制御情報と、リソース割当て情報と、ユーザ特定情報とを含むトリガーフレームを生成し、トリガーフレームは、ＰＨＹプロセッサ１７１０によってＤＬ  ＰＰＤＵに編成され、アンテナ１７１２を通じて送信される。一方で、メッセージプロセッサ１７０６は、アンテナ１７１２を通じてＳＴＡから受信された送信帯域幅要求を分析し、それらをスケジューラ１７０４およびコントローラ１７０２に提供する。アンテナ１７１２は、１つのアンテナポート、または複数のアンテナポートの組合せから構成することができる。
【００８３】
＜ＳＴＡの構成＞
図１８は、本開示による、ＳＴＡ  １５０４の構成の例を示しているブロック図である。ＳＴＡ  １５０４は、コントローラ１８０２と、メッセージ生成器１８０４と、メッセージプロセッサ１８０６と、ＰＨＹプロセッサ１８０８と、アンテナ１８１０とを備えている。コントローラ１８０２は、ＭＡＣプロトコルコントローラであり、一般的なＭＡＣプロトコル動作を制御する。アンテナ１８１０は、１つのアンテナポート、または複数のアンテナポートの組合せから構成することができる。
【００８４】
ＵＬ  ＯＦＤＭＡ伝送では、メッセージプロセッサ１８０６は、アンテナ１８１０を通じてＡＰ１５０２から受信されたトリガーフレームを分析し、共通制御情報と、リソース割当て情報と、ユーザ特定情報とをコントローラ１８０２に提供する。リソース割当て情報は、上述した実施形態に従って設定される。メッセージ生成器１８０４は、コントローラ１８０２の制御下でデータを生成し、これらのデータは、指定されたリソースでデータが送信されるように、コントローラ１８０２の制御下でＰＨＹプロセッサ１８０８によってＵＬ  ＯＦＤＭＡ  ＰＰＤＵに編成される。ＵＬ  ＯＦＤＭＡ  ＰＰＤＵは、アンテナ１８１０を通じて送信される。
【００８５】
ＤＬ  ＯＦＤＭＡ伝送では、メッセージプロセッサ１８０６は、アンテナ１８１０を通じて受信されたＤＬ  ＰＰＤＵからチャネル品質を推定し、それらをコントローラ１８０２に提供する。メッセージ生成器１８０４は、ＣＱＩメッセージを生成し、このＣＱＩメッセージがＰＨＹプロセッサ１８０８によってＵＬ  ＰＰＤＵに編成され、アンテナ１８１０を通じて送信される。
【００８６】
＜第４の実施形態＞
図１９は、本開示の第４の実施形態によるリソース割当ての例を示している。第４の実施形態は、周波数領域内の連続する１つまたは複数のＲＵを１つの割当てにおいて割り当てることのできる連続的なリソース割当てに適用可能である。この例では、８０ＭＨｚ  ＯＦＤＭＡにおいて９個の割当て（＃０〜＃９）が存在する。各割当ては、シングルユーザ伝送の場合に特定のＳＴＡ、またはマルチユーザＭＩＭＯ伝送の場合にＳＴＡの特定のグループ、のいずれかにアドレッシングされる。
【００８７】
第４の実施形態によると、割当ての合計数は、ＡＰと１または複数のＳＴＡとの間であらかじめネゴシエーションされる、あるいは、ＤＬ  ＰＰＤＵのＨＥ−ＳＩＧ−Ａフィールドまたはトリガーフレームにおいて各ＳＴＡに明示的にシグナリングされる。
【００８８】
割当ての開始トーンインデックスが、その前の割当ての終了トーンインデックスよりもつねに大きい第１の実施形態および第２の実施形態とは異なり、第４の実施形態ではそのような制限は存在しない。割当ての開始トーンインデックスおよび終了トーンインデックスは、先行する別の割当ての最初のトーンインデックスより小さくすることができる。結果として、第４の実施形態ではスケジューリングの柔軟性が改善される。
【００８９】
第４の実施形態によると、リソース割当て情報は、それぞれが特定の割当てに対応する複数のリソース割当て指示情報を含む。
【００９０】
図２０Ａは、本開示の第４の実施形態による、１つの割当てのリソース割当て指示情報の第１の例を示している。１つの割当てのリソース割当て指示情報は、割り当てられるＲＵの数、割り当てられる最初のＲＵの位置およびタイプと、割り当てられる残りのＲＵそれぞれのタイプとを含む。言い換えれば、各リソース割当て指示情報は、最初のＲＵのみの位置およびタイプの情報と、残りのＲＵそれぞれのタイプ情報とを含む。割当ての開始位置は、割り当てられる最初のＲＵの位置に従って求めることができる。さらに、割当ての割当て帯域幅は、割り当てられるＲＵの数と、割り当てられるＲＵそれぞれのタイプとに従って求めることができる。
【００９１】
図２０Ｂは、本開示の第４の実施形態による、１つの割当てのリソース割当て指示情報の第２の例を示している。この例では、１つの割当てにおいて同じタイプのＲＵのみを割り当てることができる。割当てのリソース割当て指示情報は、割り当てられるＲＵの数と、割り当てられる最初のＲＵの位置およびタイプとを含む。割当ての開始位置は、割り当てられる最初のＲＵの位置に従って求めることができる。さらに、割当ての割当て帯域幅は、割り当てられるＲＵの数と、割り当てられる最初のＲＵのタイプとに従って求めることができる。
【００９２】
表１に示した２ビットシグナリングを使用して、割り当てられるＲＵの数を示すことができ、表２に示した３ビットシグナリングを使用して、ＲＵのタイプを示すことができる。最初の割り当てられるＲＵのタイプおよび位置は、図１３に示したように１つのシグナリングフィールドの中で一緒にシグナリングすることができる。
【００９３】
ＨＥ  ＳＩＧフィールド
図２１は、本開示による、ＤＬ  ＰＰＤＵのＨＥ−ＳＩＧ−Ａ１２２およびＨＥ−ＳＩＧ−Ｂ１２４の情報内容の別の例を示している。本開示によると、シングルユーザ伝送の場合、ＤＬ  ＰＰＤＵの中にＨＥ−ＳＩＧ−Ｂフィールド１２４が存在しない。マルチユーザ伝送の場合、ＤＬ  ＰＰＤＵの中にＨＥ−ＳＩＧ−Ｂフィールド１２４が存在し、リソース割当て情報（すなわち各割当てのリソース割当て指示情報）と、その後ろの、各割当てのユーザ特定情報とを含む。ＨＥ−ＳＩＧ−Ｂフィールド１２４は、２０ＭＨｚサブバンドベース単位で符号化される。ＣＢＷ＝４０ＭＨｚ、８０ＭＨｚ、１６０ＭＨｚ、または８０＋８０ＭＨｚの場合、異なる内容を伝える２０ＭＨｚサブバンドの数は２である。
【００９４】
ＣＢＷ＝８０ＭＨｚの場合の図２１におけるＨＥ−ＳＩＧ−Ｂフィールド１２４の構造の例を、図２２に示してある。ＨＥ−ＳＩＧ−Ｂフィールド１２４は、２つの部分、すなわちＨＥ−ＳＩＧ−Ｂ１  ２２０２とＨＥ−ＳＩＧ−Ｂ２  ２２０４を備えている。ＨＥ−ＳＩＧ−Ｂ１  ２２０２は、第１の２０ＭＨｚサブバンドチャネル２２２２を通じて送信され、ＨＥ−ＳＩＧ−Ｂ１  ２２０２の複製が、第３の２０ＭＨｚサブバンドチャネル２２２６を通じて送信され、一方で、ＨＥ−ＳＩＧ−Ｂ２  ２２０４が、第２の２０ＭＨｚサブバンドチャネル２２２４を通じて送信され、ＨＥ−ＳＩＧ−Ｂ２  ２２０４の複製が、第４の２０ＭＨｚサブバンドチャネル２２２８を通じて送信される。
【００９５】
本開示によると、２０ＭＨｚサブバンドチャネル内に全体が位置している１つの割当てのリソース割当て指示情報は、同じ２０ＭＨｚサブバンドチャネルを通じて送信されるＨＥ−ＳＩＧ−Ｂ１  ２２０２およびＨＥ−ＳＩＧ−Ｂ２  ２２０４の一方で伝えるべきである。より詳細には、ＨＥ−ＳＩＧ−Ｂ１  ２２０２は、第１の２０ＭＨｚサブバンドチャネル２２２２または第３の２０ＭＨｚサブバンドチャネル２２２６内に全体が位置している割当て（例：２２１２）のリソース割当て指示情報を伝えるべきである。ＨＥ−ＳＩＧ−Ｂ２  ２２０４は、第２の２０ＭＨｚサブバンドチャネル２２２４または第４の２０ＭＨｚサブバンドチャネル２２２８内に全体が位置している割当て（例：２２１８）のリソース割当て指示情報を伝えるべきである。このようにすることで、たとえ２０ＭＨｚサブバンドチャネル（例：２２２２または２２２６）内の制御シグナリングが干渉のために壊れた場合でも、別の２０ＭＨｚサブバンドチャネル（例：２２２４または２２２８）内のＤＬ  ＰＰＤＵを正常に復号することができる。
【００９６】
本開示によると、２つ以上の隣接する２０ＭＨｚサブバンドチャネルにまたがる割当て（例：２２１６）の場合、対応するリソース割当て指示情報は、ＨＥ−ＳＩＧ−Ｂ１  ２２０２のデータ量とＨＥ−ＳＩＧ−Ｂ２  ２２０４のデータ量が同程度の大きさとなるように、ＨＥ−ＳＩＧ−Ｂ１  ２２０２またはＨＥ−ＳＩＧ−Ｂ２  ２２０４のいずれかにおいて伝えることができる。ＨＥ−ＳＩＧ−Ｂ１とＨＥ−ＳＩＧ−Ｂ２のうち小さい方には、これらのペイロードサイズが同じになるまでパディングビットが付加されるため、この実施形態によると、ＨＥ−ＳＩＧ−Ｂフィールドのパディング効率を改善する、または最大にすることができる。
【００９７】
図２３は、本開示による、リソース割当て情報をＨＥ−ＳＩＧ−Ｂフィールド内に分散させる方法を示した流れ図である。図２３に示した方法は、ステップ２３０２において開始する。ステップ２３０４において、ＨＥ−ＳＩＧ−Ｂ１が送信される任意の２０ＭＨｚサブバンドチャネル内に全体が位置している割当てのリソース割当て指示情報を、ＨＥ−ＳＩＧ−Ｂ１に含める（すなわちマッピングする）。ステップ２３０６において、ＨＥ−ＳＩＧ−Ｂ２が送信される任意の２０ＭＨｚサブバンドチャネル内に全体が位置している割当てのリソース割当て指示情報を、ＨＥ−ＳＩＧ−Ｂ２に含める（すなわちマッピングする）。なお、ステップ２３０４およびステップ２３０６の連続する順序は、逆にすることができる。ステップ２３０８において、２つ以上の隣接する２０ＭＨｚサブバンドチャネルにまたがる割当てのリソース割当て指示情報を、ＨＥ−ＳＩＧ−Ｂ１のデータ量とＨＥ−ＳＩＧ−Ｂ２のデータ量が同程度の大きさになるように、ＨＥ−ＳＩＧ−Ｂ１またはＨＥ−ＳＩＧ−Ｂ２のいずれかに含める（すなわちマッピングする）。この方法は、ステップ２３１０において停止する。
【００９８】
例として次の場合を考える。
−  ＣＢＷ＝４０ＭＨｚ；
−  ４つの割当て：  Ａ１，Ａ２，Ａ３，Ａ４；
−  割当てＡ１は、ＨＥ−ＳＩＧ−Ｂ１が送信される下側２０ＭＨｚサブバンドチャネル内に位置している１つまたは複数のＲＵを含む；
−  割当てＡ２および割当てＡ３それぞれは、ＨＥ−ＳＩＧ−Ｂ２が送信される上側２０ＭＨｚサブバンドチャネル内に位置している１つまたは複数のＲＵを含む；
−  割当てＡ４は、下側２０ＭＨｚサブバンドチャネルと上側２０ＭＨｚサブバンドチャネルの両方にまたがる１つまたは複数のＲＵを含む；
−  ４つの割当てそれぞれのリソース割当て指示情報には、同程度の数の情報ビットを必要とするものと想定する。
【００９９】
上の４つの割当てのリソース割当て指示情報は、図２３に示した方法に従って、次のようにＨＥ−ＳＩＧ−Ｂの中に分散させるべきである。
−  割当てＡ１のリソース割当て指示情報は、ＨＥ−ＳＩＧ−Ｂ１においてシグナリングされる；
−  割当てＡ２および割当てＡ３のリソース割当て指示情報は、ＨＥ−ＳＩＧ−Ｂ２においてシグナリングされる；
−  割当てＡ４のリソース割当て指示情報はＨＥ−ＳＩＧ−Ｂ１においてシグナリングされる。
【０１００】
リソース割当て指示情報をＨＥ−ＳＩＧ−Ｂ１とＨＥ−ＳＩＧ−Ｂ２との間で分散させることによって、ＨＥ−ＳＩＧ−Ｂ１のデータ量とＨＥ−ＳＩＧ−Ｂ２のデータ量の大きさが同程度となり、したがってＨＥ−ＳＩＧ−Ｂフィールドにおけるパディング効率が改善される。
【０１０１】
ＨＥ−ＳＩＧ−Ｂフィールド
図２４は、ＣＢＷ＝８０ＭＨｚの場合の、図２２におけるＨＥ−ＳＩＧ−Ｂ１  ２２０２またはＨＥ−ＳＩＧ−Ｂ２  ２２０４のフォーマットの第１の例を示している。ＨＥ−ＳＩＧ−Ｂ１  ２２０２またはＨＥ−ＳＩＧ−Ｂ２  ２２０４は、共通フィールド２４１０およびユーザ特定フィールド２４５０を備えている。共通フィールド２４１０は、第１のリソース割当てサブフィールド２４１２と、第２のリソース割当てサブフィールド２４１４と、ＣＲＣ（Cyclic Redundancy Check：巡回冗長検査）サブフィールド２４１８と、テールビット（tail bits）サブフィールドとを備えている。
【０１０２】
ＨＥ−ＳＩＧ−Ｂ１  ２２０２の文脈においては、第１のリソース割当てサブフィールド２４１２は、図２２における第１の２０ＭＨｚサブバンドチャネル２２２２の周波数領域の特定のＲＵ配置（ＭＵ−ＭＩＭＯ（マルチユーザ多入力多出力）に関連する情報を含む）を示すＲＵ配置パターンインデックス、を含む。ＲＵ配置パターンインデックスと、対応するＲＵ配置パターンとのマッピングは、あらかじめ決められる。ＲＵ配置パターンインデックスと、対応するＲＵ配置パターンとのマッピングの例は、表５に示してある。なお、ＲＵは、２０ＭＨｚサブバンドチャネル内の周波数領域において、より低い周波数からより高い周波数に配置され、タイプＩ  ＲＵおよびタイプＩＩ  ＲＵは、ＳＵ−ＭＩＭＯ伝送のみに使用することができる。
【０１０３】
【表５−１】
2020025352.tif 000007
【表５−２】
2020025352.tif 000008
【表５−３】
2020025352.tif 000009
【０１０４】
表５を参照し、例えば、第１のリソース割当てサブフィールド２４１２は、第１の２０ＭＨｚサブバンドチャネルにおける特定のＲＵ配置を示すＲＵ配置パターンインデックス２５を含むことができ、この場合、周波数領域における５個のタイプＩ  ＲＵの後に１個のタイプＩＩＩ  ＲＵが続き、５個のタイプＩ  ＲＵそれぞれがＳＵ−ＭＩＭＯ（Single User Multiple Input Multiple Output：シングルユーザ多入力多出力）伝送用に使用され、タイプＩＩＩ  ＲＵが、多重化されている２人のユーザを含むＭＵ−ＭＩＭＯ伝送用に使用される。第２のリソース割当てサブフィールド２４１４は、周波数領域におけるＲＵ配置と、図２２における第３の２０ＭＨｚサブバンドチャネルにおけるＭＵ−ＭＩＭＯに関連する情報を示す。
【０１０５】
ＨＥ−ＳＩＧ−Ｂ２  ２２０４の文脈においては、第１のリソース割当てサブフィールド２４１２は、図２２における第２の２０ＭＨｚサブバンドチャネル２２２４の周波数領域におけるＲＵ配置とＭＵ−ＭＩＭＯに関連する情報を示す。第２のリソース割当てサブフィールド２４１４は、図２２における第４の２０ＭＨｚサブバンドチャネル２２２８の周波数領域におけるＲＵ配置とＭＵ−ＭＩＭＯに関連する情報を示す。なお、第１のリソース割当てサブフィールド２４１２および第２のリソース割当てサブフィールド２４１４によってシグナリングされるＲＵ配置は、図４に示した中央のタイプＩ  ＲＵ  ４０２（２つの隣り合う２０ＭＨｚサブバンドチャネルの間に位置する）を含まないことに留意されたい。
【０１０６】
ユーザ特定フィールド２４５０は、複数のＢＣＣ（Binary Convolutional Coding：バイナリ畳み込み符号化）ブロック２４６０を備えている。最後のＢＣＣブロック２４６０−Ｎを除くＢＣＣブロック２４６０のそれぞれは、第１のユーザ特定サブフィールドと、第２のユーザ特定サブフィールドと、ＣＲＣサブフィールドと、テールビットサブフィールドとを備えている。最後のＢＣＣブロック２４６０−Ｎは、１つのユーザ特定サブフィールドを備えていることができる。ユーザ特定フィールド２４５０の中のユーザ特定サブフィールドそれぞれは、ユーザごとの割当て情報（例えば、アドレッシング用のＳＴＡ識別子、ＰＰＤＵ１００を復号するのに必要な情報（空間ストリームの数および変調・符号化方式など））を伝える。ＳＵ−ＭＩＭＯ伝送用に割り当てられる各ＲＵに対して、対応する１つのユーザ特定サブフィールドのみが存在する。Ｋユーザが多重されているＭＵ−ＭＩＭＯ伝送用に割り当てられる各ＲＵに対しては、対応するＫ個のユーザ特定サブフィールドが存在する。ユーザ特定フィールド２４５０の中のユーザ特定サブフィールドの順序付けは、第１のリソース割当てサブフィールド２４１２および第２のリソース割当てサブフィールド２４１４によってシグナリングされるＲＵ配置に従う。
【０１０７】
本開示によると、ＨＥ−ＳＩＧ−Ｂ１  ２２０２およびＨＥ−ＳＩＧ−Ｂ２  ２２０４それぞれにおけるユーザ特定フィールド２４５０のユーザ特定サブフィールドのうちの１つは、図４に示した中央のタイプＩ  ＲＵ  ４０２のユーザごとの割当て情報を伝えるために使用される。中央のタイプＩ  ＲＵのユーザ特定サブフィールドは、ユーザ特定フィールド２４５０の中の所定の位置に配置される。例えば、中央のタイプＩ  ＲＵのユーザ特定サブフィールドは、ユーザ特定フィールド２４５０の中の最後のユーザ特定サブフィールド２４７０である。
【０１０８】
本開示によると、中央のタイプＩ  ＲＵのユーザ特定サブフィールドを除く、ユーザ特定フィールド２４５０の中のユーザ特定サブフィールドの数は、共通フィールド２４１０の中の第１のリソース割当てサブフィールド２４１２および第２のリソース割当てサブフィールド２４１４から導くことができる。
【０１０９】
ＣＢＷ＝１６０ＭＨｚまたは８０＋８０ＭＨｚの場合、８０ＭＨｚ毎に、２つの隣り合う２０ＭＨｚサブバンドチャネルの間に位置する中央のタイプＩ  ＲＵが存在する。結果として、ＣＢＷ＝１６０ＭＨｚまたは８０＋８０ＭＨｚの場合、合計で２個の中央のタイプＩ  ＲＵが存在する。この場合、本開示によると、ＨＥ−ＳＩＧ−Ｂ１  ２２０２およびＨＥ−ＳＩＧ−Ｂ２  ２２０４それぞれにおけるユーザ特定フィールド２４５０のユーザ特定サブフィールドのうちの２つは、それぞれ、２個の中央のタイプＩ  ＲＵのユーザごとの割当て情報を伝えるために使用される。中央のタイプＩ  ＲＵの２つのユーザ特定サブフィールドそれぞれは、ユーザ特定フィールド２４５０の中の所定の位置に配置される。例えば、第１の中央のタイプＩ  ＲＵのユーザ特定サブフィールドは、ユーザ特定フィールド２４５０の中の最後のユーザ特定サブフィールドであり、第２の中央のタイプＩ  ＲＵのユーザ特定サブフィールドは、ユーザ特定フィールド２４５０の中の最後から２番目のユーザ特定サブフィールドである。
【０１１０】
図２５は、ＣＢＷ＝８０ＭＨｚの場合の、図２２におけるＨＥ−ＳＩＧ−Ｂ１  ２２０２またはＨＥ−ＳＩＧ−Ｂ２  ２２０４のフォーマットの第２の例を示している。ＨＥ−ＳＩＧ−Ｂ１  ２２０２またはＨＥ−ＳＩＧ−Ｂ２  ２２０４は、共通フィールド２５１０およびユーザ特定フィールド２５５０を備えている。共通フィールド２５１０は、第１のリソース割当てサブフィールド２５１２と、第２のリソース割当てサブフィールド２５１４と、中央ＲＵの割当て情報の存在サブフィールド（presence of allocation information for center RU subfield）２５１６と、ＣＲＣサブフィールド２５１８と、テールビットサブフィールドとを備えている。ユーザ特定フィールド２５５０は、複数のＢＣＣブロック２５６０を備えている。最後のＢＣＣブロック２５６０−Ｎを除くＢＣＣブロック２５６０それぞれは、第１のユーザ特定サブフィールドと、第２のユーザ特定サブフィールドと、ＣＲＣサブフィールドと、テールビットサブフィールドとを備えている。最後のＢＣＣブロック２５６０−Ｎは、１つのユーザ特定サブフィールドを備えていることができる。ユーザ特定フィールド２５５０の中のユーザ特定サブフィールドそれぞれは、ユーザごとの割当て情報を伝える。
【０１１１】
第１のリソース割当てサブフィールド２５１２と、第２のリソース割当てサブフィールド２５１４と、ユーザ特定サブフィールドそれぞれは、図２４におけるそれぞれ対応するサブフィールドと同じように定義される。
【０１１２】
本開示によると、共通フィールド２５１０の中の、中央ＲＵの割当て情報の存在サブフィールド２５１６は、ユーザ特定フィールド２５５０の中に、中央のタイプＩ  ＲＵのユーザ特定サブフィールドが存在するかを示すために使用される。ユーザ特定フィールド２５５０の中に、中央のタイプＩ  ＲＵのユーザ特定サブフィールドが存在する場合、ユーザ特定フィールド２５５０の中のその位置は、あらかじめ決められる。例えば、中央のタイプＩ  ＲＵのユーザ特定サブフィールドは、ユーザ特定フィールド２５５０の中の最後のユーザ特定サブフィールド２５７０である。
【０１１３】
本開示によると、ユーザ特定フィールド２５５０の中のユーザ特定サブフィールドの数は、共通フィールド２５１０の中の第１のリソース割当てサブフィールド２５１２と、第２のリソース割当てサブフィールド２５１４と、中央ＲＵの割当て情報の存在サブフィールド２５１６とから導くことができる。
【０１１４】
図２４に示した、ＨＥ−ＳＩＧ−Ｂ１  ２２０２またはＨＥ−ＳＩＧ−Ｂ２  ２２０４のフォーマットの第１の例（中央のタイプＩ  ＲＵのユーザ特定サブフィールドがＨＥ−ＳＩＧ−Ｂ１  ２２０２およびＨＥ−ＳＩＧ−Ｂ２  ２２０４の両方に含まれている）と比較すると、図２５に示したフォーマットの第２の例では、ＨＥ−ＳＩＧ−Ｂ１  ２２０２またはＨＥ−ＳＩＧ−Ｂ２  ２２０４の中に、中央のタイプＩ  ＲＵのユーザ特定サブフィールドをより柔軟に配置することが可能である。一例においては、ＨＥ−ＳＩＧ−Ｂ１  ２２０２とＨＥ−ＳＩＧ−Ｂ２  ２２０４との間で負荷バランスを維持し、かつチャネル効率を改善する目的で、中央のタイプＩ  ＲＵのユーザ特定サブフィールドを、ＨＥ−ＳＩＧ−Ｂ１  ２２０２またはＨＥ−ＳＩＧ−Ｂ２  ２２０４のいずれかに含めることができる。言い換えれば、ＨＥ−ＳＩＧ−Ｂ１  ２２０２とＨＥ−ＳＩＧ−Ｂ２  ２２０４の間の、ユーザ特定サブフィールドの数の差が最小になるように、中央のタイプＩ  ＲＵのユーザ特定サブフィールドをＨＥ−ＳＩＧ−Ｂ１  ２２０２およびＨＥ−ＳＩＧ−Ｂ２  ２２０４のいずれかに含めることができる。別の例においては、中央のタイプＩ  ＲＵのユーザ特定サブフィールドの復号の信頼性を高める目的で、中央のタイプＩ  ＲＵのユーザ特定サブフィールドを、ＨＥ−ＳＩＧ−Ｂ１  ２２０２およびＨＥ−ＳＩＧ−Ｂ２  ２２０４の両方に含めることができる。
【０１１５】
ＣＢＷ＝１６０ＭＨｚまたは８０＋８０ＭＨｚの場合、共通フィールド２５１０の中の、中央ＲＵの割当て情報の存在サブフィールド２５１６は、ユーザ特定フィールド２５５０の中に、２つの中央のタイプＩ  ＲＵそれぞれのユーザ特定サブフィールドが存在するかを示す必要がある。２つの中央のタイプＩ  ＲＵのうち一方のみのユーザ特定サブフィールドがユーザ特定フィールド２５５０の中に存在する場合、ユーザ特定フィールド２５５０の中のその位置は、あらかじめ決められる。例えば、中央のタイプＩ  ＲＵのユーザ特定サブフィールドは、ユーザ特定フィールド２５５０の中の最後のユーザ特定サブフィールドである。２つの中央のタイプＩ  ＲＵのそれぞれのユーザ特定サブフィールドがユーザ特定フィールド２５５０に存在する場合、中央のタイプＩ  ＲＵの２つのユーザ特定サブフィールドは、ユーザ特定フィールド２５５０の中の所定の位置に配置される。例えば、第１の中央のタイプＩ  ＲＵのユーザ特定サブフィールドは、ユーザ特定フィールド２５５０の中の最後のユーザ特定サブフィールドであり、第２の中央のタイプＩ  ＲＵのユーザ特定サブフィールドは、ユーザ特定フィールド２５５０の中の最後から２番目のユーザ特定サブフィールドである。
【０１１６】
図２６は、ＣＢＷ＝８０ＭＨｚの場合の、図２２におけるＨＥ−ＳＩＧ−Ｂ１  ２２０２またはＨＥ−ＳＩＧ−Ｂ２  ２２０４のフォーマットの第３の例を示している。ＨＥ−ＳＩＧ−Ｂ１  ２２０２またはＨＥ−ＳＩＧ−Ｂ２  ２２０４は、共通フィールド２６１０とユーザ特定フィールド２６５０とを備えている。共通フィールド２６１０は、第１のリソース割当てサブフィールド２６１２と、第２のリソース割当てサブフィールド２６１４と、ＣＲＣサブフィールド２６１８と、テールビットサブフィールドとを備えている。ユーザ特定フィールド２６５０は、複数のＢＣＣブロック２６６０を備えている。最後のＢＣＣブロック２６６０−Ｎを除くＢＣＣブロック２６６０それぞれは、第１のユーザ特定サブフィールドと、第２のユーザ特定サブフィールドと、ＣＲＣサブフィールドと、テールビットサブフィールドとを備えている。最後のＢＣＣブロック２６６０−Ｎは、１つのユーザ特定サブフィールドを備えている。ユーザ特定フィールド２６５０の中のユーザ特定サブフィールドそれぞれは、ユーザごとの割当て情報を伝える。
【０１１７】
第１のリソース割当てサブフィールド２６１２、第２のリソース割当てサブフィールド２６１４、およびユーザ特定サブフィールドそれぞれは、図２４におけるそれぞれ対応するサブフィールドと同じように定義される。
【０１１８】
本開示によると、共通フィールド２６１０の中のＣＲＣサブフィールド２６１８が、事前に定義されたバイナリシーケンスによってマスクされているか（すなわちＣＲＣサブフィールド２６１８および事前に定義されたバイナリシーケンスにＸＯＲ（排他的ＯＲ）が適用されているか）、を使用して、ユーザ特定フィールド２６５０の中に中央のタイプＩ  ＲＵのユーザ特定サブフィールドが存在するかを示す。例えば、共通フィールド２６１０の中のＣＲＣサブフィールド２６１８が事前に定義されるバイナリシーケンスによってマスクされていない場合、ユーザ特定フィールド２６５０の中に中央のタイプＩ  ＲＵのユーザ特定サブフィールドが存在しない。そうでない場合、ユーザ特定フィールド２６５０の中に中央のタイプＩ  ＲＵのユーザ特定サブフィールドが存在する。
【０１１９】
あるいは、共通フィールド２６１０の中のＣＲＣサブフィールド２６１８の代わりに、ユーザ特定フィールド２６５０の中の特定のＢＣＣブロックのＣＲＣサブフィールドが事前に定義されるバイナリシーケンスによってマスクされているか、を使用して、ユーザ特定フィールド２６５０の中に中央のタイプＩ  ＲＵのユーザ特定サブフィールドが存在するかを示す。例えば、第１のＢＣＣブロック２６６０−１のＣＲＣサブフィールド２６６６が、事前に定義されるバイナリシーケンスによってマスクされていない場合、ユーザ特定フィールド２６５０の中に中央のタイプＩ  ＲＵのユーザ特定サブフィールドが存在しない。そうでない場合、ユーザ特定フィールド２６５０の中に中央のタイプＩ  ＲＵのユーザ特定サブフィールドが存在する。
【０１２０】
中央のタイプＩ  ＲＵのユーザ特定サブフィールドがユーザ特定フィールド２６５０の中に存在する場合、ユーザ特定フィールド２６５０の中のその位置は、あらかじめ決められる。例えば、中央のタイプＩ  ＲＵのユーザ特定サブフィールドは、ユーザ特定フィールド２６５０の中の最後のユーザ特定サブフィールド２６７０である。
【０１２１】
本開示によると、中央のタイプＩ  ＲＵのユーザ特定サブフィールドを除く、ユーザ特定フィールド２６５０の中のユーザ特定サブフィールドの数は、共通フィールド２６１０の中の第１のリソース割当てサブフィールド２６１２および第２のリソース割当てサブフィールド２６１４から導くことができる。
【０１２２】
図２５に示した、ＨＥ−ＳＩＧ−Ｂ１  ２２０２またはＨＥ−ＳＩＧ−Ｂ２  ２２０４のフォーマットの第２の例と比較すると、図２６に示したフォーマットの第３の例では、ユーザ特定フィールドの中の中央のタイプＩ  ＲＵのユーザ特定サブフィールドの存在をシグナリングするための、共通フィールドの中のシグナリングサブフィールドが必要ない。言い換えれば、フォーマットの第３の例によって必要とされるシグナリングビットは、フォーマットの第２の例と比較して減少する。
【０１２３】
ＣＢＷ＝１６０ＭＨｚまたは８０＋８０ＭＨｚの場合、共通フィールド２６１０の中のＣＲＣサブフィールド２６１８（またはユーザ特定フィールド２６５０の中のＣＲＣサブフィールド２６６６）が３つの事前に定義されるバイナリシーケンスの１つによってマスクされているか、を使用して、ユーザ特定フィールド２６５０の中に２つの中央のタイプＩ  ＲＵそれぞれのユーザ特定サブフィールドが存在するかを示す。例えば、共通フィールド２６１０の中のＣＲＣサブフィールド２６１８（またはユーザ特定フィールド２６５０の中のＣＲＣサブフィールド２６６６）が、３つの事前に定義されるバイナリシーケンスの１つによってマスクされていない場合、ユーザ特定フィールド２６５０の中に中央のタイプＩ  ＲＵのユーザ特定サブフィールドが存在しない。共通フィールド２６１０の中のＣＲＣサブフィールド２６１８（またはユーザ特定フィールド２６５０の中のＣＲＣサブフィールド２６６６）が事前に定義される第１のバイナリシーケンスによってマスクされている場合、ユーザ特定フィールド２６５０の中に第１の中央のタイプＩ  ＲＵのユーザ特定サブフィールドが存在する。共通フィールド２６１０の中のＣＲＣサブフィールド２６１８（またはユーザ特定フィールド２６５０の中のＣＲＣサブフィールド２６６６）が事前に定義される第２のバイナリシーケンスによってマスクされている場合、ユーザ特定フィールド２６５０の中に第２の中央のタイプＩ  ＲＵのユーザ特定サブフィールドが存在する。共通フィールド２６１０の中のＣＲＣサブフィールド２６１８（またはユーザ特定フィールド２６５０の中のＣＲＣサブフィールド２６６６）が事前に定義される第３のバイナリシーケンスによってマスクされている場合、ユーザ特定フィールド２６５０の中に２つの中央のタイプＩ  ＲＵそれぞれのユーザ特定サブフィールドが存在する。ユーザ特定フィールド２６５０の中に、２つの中央のタイプＩ  ＲＵの一方のみのユーザ特定サブフィールドが存在する場合、ユーザ特定フィールド２６５０の中のその位置は、あらかじめ決められる。例えば、中央のタイプＩ  ＲＵのユーザ特定サブフィールドは、ユーザ特定フィールド２６５０の中の最後のユーザ特定サブフィールドである。２つの中央のタイプＩ  ＲＵそれぞれのユーザ特定サブフィールドがユーザ特定フィールド２６５０の中に存在する場合、中央のタイプＩ  ＲＵの２つのユーザ特定サブフィールドは、ユーザ特定フィールド２６５０の中の所定の位置に配置される。例えば、第１の中央のタイプＩ  ＲＵのユーザ特定サブフィールドは、ユーザ特定フィールド２６５０の中の最後のユーザ特定サブフィールドであり、第２の中央のタイプＩ  ＲＵのユーザ特定サブフィールドは、ユーザ特定フィールド２６５０の中の最後から２番目のユーザ特定サブフィールドである。
【０１２４】
ここまでの実施形態では、本発明は一例としてハードウェアによって構成されているが、ハードウェアと協働するソフトウェアによって本発明を提供することもできる。
【０１２５】
さらに、実施形態の説明において使用されている機能ブロックは、一般には、ＬＳＩデバイス（集積回路である）として実施することができる。これらの機能ブロックは、個々のチップとして形成する、または、機能ブロックの一部または全体を１個のチップに集積化することができる。本明細書では用語「ＬＳＩ」が使用されているが、集積度の違いに応じて、用語「ＩＣ」、「システムＬＳＩ」、「スーパーＬＳＩ」、または「ウルトラＬＳＩ」を使用することができる。
【０１２６】
さらに、回路集積化はＬＳＩに限定されず、専用回路、またはＬＳＩ以外の汎用プロセッサによって達成することができる。ＬＳＩを作製した後、フィールドプログラマブルゲートアレイ（ＦＰＧＡ）（プログラム可能である）、またはＬＳＩ内部の回路セルの接続および設定を再設定できるリコンフィギャラブルプロセッサを使用することもできる。
【０１２７】
半導体技術、または半導体技術から派生する別の技術の進歩の結果として、ＬＳＩに代わる回路集積化技術が登場した場合、そのような技術を使用して機能ブロックを集積化することができる。別の可能性として、バイオテクノロジーおよび／またはその他の技術を適用することができる。
【産業上の利用可能性】
【０１２８】
本開示は、無線通信システムにおいてリソース割当て情報をフォーマットおよび送信する方法に適用することができる。
【符号の説明】
【０１２９】
１７０２  コントローラ
１７０４  スケジューラ
１７０６  メッセージプロセッサ
１７０８  メッセージ生成器
１７１０  ＰＨＹプロセッサ
１７１２  アンテナ
１８０２  コントローラ
１８０４  メッセージ生成器
１８０６  メッセージプロセッサ
１８０８  ＰＨＹプロセッサ
１８１０  アンテナ
【図１】
2020025352.tif 000010
【図２】
2020025352.tif 000011
【図３】
2020025352.tif 000012
【図４】
2020025352.tif 000013
【図５】
2020025352.tif 000014
【図６】
2020025352.tif 000015
【図７】
2020025352.tif 000016
【図８Ａ】
2020025352.tif 000017
【図８Ｂ】
2020025352.tif 000018
【図８Ｃ】
2020025352.tif 000019
【図９】
2020025352.tif 000020
【図１０Ａ】
2020025352.tif 000021
【図１０Ｂ】
2020025352.tif 000022
【図１０Ｃ】
2020025352.tif 000023
【図１１】
2020025352.tif 000024
【図１２Ａ】
2020025352.tif 000025
【図１２Ｂ】
2020025352.tif 000026
【図１３】
2020025352.tif 000027
【図１４】
2020025352.tif 000028
【図１５】
2020025352.tif 000029
【図１６】
2020025352.tif 000030
【図１７】
2020025352.tif 000031
【図１８】
2020025352.tif 000032
【図１９】
2020025352.tif 000033
【図２０Ａ】
2020025352.tif 000034
【図２０Ｂ】
2020025352.tif 000035
【図２１】
2020025352.tif 000036
【図２２】
2020025352.tif 000037
【図２３】
2020025352.tif 000038
【図２４】
2020025352.tif 000039
【図２５】
2020025352.tif 000040
【図２６】
2020025352.tif 000041